(57)【要約】【課題】サムネイルリスト表示など代表画像の読み取り、表示処理を効率的に実行可能とした構成を提供する。【解決手段】例えばチャプタに対応して設定された代表画像としての被参照画像（ＩＤＲ）のアクセス情報として、代表画像の読み取りに適用するアドレス情報と読み取りデータサイズ情報を含む代表画像アクセス情報をプレイリストファイルまたはインデックスファイルに記録する構成とした。本構成により、サムネイルリスト表示など、代表画像の読み取り再生を行なう場合、代表画像アクセス情報を参照した処理が可能となり、ＩＤＲ読み取り再生を効率的に迅速に行なうことが可能となる。【選択図】図１５
2008047963.tif 000002
【特許請求の範囲】
【請求項１】
情報記録媒体に対するデータ記録処理制御を行う制御部を有し、
前記制御部は、
予め規定された階層型の管理構成を持つデータ記録フォーマットに従ったデータ記録制御を行なう構成であり、記録データに設定されたデータ区間の代表画像の読み取りに適用する代表画像アクセス情報を、前記記録フォーマットに従った属性情報ファイルに記録する制御を行なう構成であることを特徴とする情報処理装置。
【請求項２】
前記制御部は、
ピクチャグループによって構成されるＧＯＰ（Ｇｒｏｕｐ  Ｏｆ  Ｐｉｃｔｕｒｅ）を設定したエンコードデータの記録および記録データに対応する管理情報の記録制御を行ない、
再生区間情報としてのマークによって設定されるチャプタ単位の代表画像として設定される被参照ピクチャの読み取りに適用する情報を代表画像アクセス情報として、前記属性情報ファイルに記録する制御を行なう構成であることを特徴とする請求項１に記載の情報処理装置。
【請求項３】
前記制御部は、
前記代表画像アクセス情報として、
代表画像の読み取りに適用するアドレス情報と読み取りデータサイズ情報を前記属性情報ファイルに記録する制御を行なう構成であることを特徴とする請求項１に記載の情報処理装置。
【請求項４】
前記制御部は、
ＡＶＣＨＤフォーマットに従ったデータ記録制御を行なう構成であり、
再生区間情報としてＡＶＣＨＤフォーマットにおいて規定されるプレイリストマークによって設定されるチャプタ単位の代表画像として設定される被参照ピクチャであるＩＤＲ（Ｉｎｓｔａｎｔａｎｅｏｕｓ  Ｄｅｃｏｄｉｎｇ  Ｒｅｆｒｅｓｈ）ピクチャの読み取りに適用する情報を代表画像アクセス情報として、前記属性情報ファイルに記録する制御を行なう構成であることを特徴とする請求項１に記載の情報処理装置。
【請求項５】
前記代表画像アクセス情報は、
前記ＩＤＲピクチャの読み取りに適用するアドレス情報としてのＩＤＲ論理セクタ番号と、ＩＤＲピクチャのデータサイズであるＩＤＲサイズであることを特徴とする請求項４に記載の情報処理装置。
【請求項６】
前記制御部は、
予め規定された階層型の管理構成を持つデータ記録フォーマットであるＡＶＣＨＤフォーマットに従ったデータ記録制御を行なう構成であり、
前記代表画像アクセス情報を、前記ＡＶＣＨＤ記録フォーマットにおいて規定される属性情報を格納した属性情報ファイルに記録する制御を行なう構成であることを特徴とする請求項１に記載の情報処理装置。
【請求項７】
前記制御部は、
前記ＡＶＣＨＤ記録フォーマットにおいて規定されるプレイリストファイルまたはインデックスファイルに前記代表画像アクセス情報を記録する制御を行なう構成であることを特徴とする請求項６に記載の情報処理装置。
【請求項８】
前記制御部は、
前記ＡＶＣＨＤ記録フォーマットにおいて規定されるプレイリストファイルまたはインデックスファイルに設定されるメーカー対応情報の書き込み許容領域に前記代表画像アクセス情報を記録する制御を行なう構成であることを特徴とする請求項７に記載の情報処理装置。
【請求項９】
予め規定された階層型の管理構成を持つデータ記録フォーマットに従って情報記録媒体に記録されたデータの再生処理を実行する情報処理装置であり、
情報記録媒体に記録されたデータの再生制御を行う制御部を有し、
前記制御部は、
情報記録媒体の記録データに設定されたデータ区間の代表画像の読み取り処理おいて、
前記記録フォーマットに規定された属性情報ファイルに記録された代表画像のアドレス情報と読み取りデータサイズ情報を含む代表画像アクセス情報を取得して、取得した代表画像アクセス情報に従って代表画像の読み取りを行なう構成であることを特徴とする情報処理装置。
【請求項１０】
情報記録媒体に記録されたデータは、ピクチャグループによって構成されるＧＯＰ（Ｇｒｏｕｐ  Ｏｆ  Ｐｉｃｔｕｒｅ）を設定したエンコードデータであり、
前記制御部は、
再生区間情報としてのマークによって設定されるチャプタ単位の代表画像として設定される被参照ピクチャの読み取りに際して、前記代表画像アクセス情報を適用した処理を行なう構成であることを特徴とする請求項９に記載の情報処理装置。
【請求項１１】
前記制御部は、
ＡＶＣＨＤフォーマットに従った記録データの再生制御を行なう構成であり、
再生区間情報としてＡＶＣＨＤフォーマットにおいて規定されるプレイリストマークによって設定されるチャプタ単位の代表画像として設定される被参照ピクチャであるＩＤＲ（Ｉｎｓｔａｎｔａｎｅｏｕｓ  Ｄｅｃｏｄｉｎｇ  Ｒｅｆｒｅｓｈ）ピクチャの読み取りにおいて、前記代表画像アクセス情報を適用した処理を行なう構成であることを特徴とする請求項９に記載の情報処理装置。
【請求項１２】
前記代表画像アクセス情報は、
前記ＩＤＲピクチャの読み取りに適用するアドレス情報としてのＩＤＲ論理セクタ番号と、ＩＤＲピクチャのデータサイズであるＩＤＲサイズであることを特徴とする請求項１１に記載の情報処理装置。
【請求項１３】
前記制御部は、
予め規定された階層型の管理構成を持つデータ記録フォーマットであるＡＶＣＨＤフォーマットに従った記録データの再生制御を行なう構成であり、
前記ＡＶＣＨＤ記録フォーマットにおいて規定されるプレイリストファイルまたはインデックスファイルに記録された代表画像アクセス情報を取得して、取得した代表画像アクセス情報に従って代表画像の読み取りを行なう構成であることを特徴とする請求項９に記載の情報処理装置。
【請求項１４】
前記制御部は、
前記ＡＶＣＨＤ記録フォーマットにおいて規定されるプレイリストファイルまたはインデックスファイルに設定されるメーカー対応情報の書き込み許容領域に記録された代表画像アクセス情報を取得して、取得した代表画像アクセス情報に従って代表画像の読み取りを行なう構成であることを特徴とする請求項１３に記載の情報処理装置。
【請求項１５】
情報処理装置において、情報記録媒体に対するデータ記録処理制御を行う情報処理方法であり、
制御部が、予め規定された階層型の管理構成を持つデータ記録フォーマットに従ったデータ記録制御を行なうとともに、記録データに設定されたデータ区間の代表画像の読み取りに適用する代表画像アクセス情報を、前記記録フォーマットに従った属性情報ファイルに記録する制御を行なうことを特徴とする情報処理方法。
【請求項１６】
前記制御部は、ピクチャグループによって構成されるＧＯＰ（Ｇｒｏｕｐ  Ｏｆ  Ｐｉｃｔｕｒｅ）を設定したエンコードデータの記録および記録データに対応する管理情報の記録制御を行ない、
再生区間情報としてのマークによって設定されるチャプタ単位の代表画像として設定される被参照ピクチャの読み取りに適用する情報を代表画像アクセス情報として、前記属性情報ファイルに記録する制御を行なうことを特徴とする請求項１５に記載の情報処理方法。
【請求項１７】
前記制御部は、前記代表画像アクセス情報として、代表画像の読み取りに適用するアドレス情報と読み取りデータサイズ情報を前記属性情報ファイルに記録する制御を行なうことを特徴とする請求項１５に記載の情報処理方法。
【請求項１８】
前記制御部は、ＡＶＣＨＤフォーマットに従ったデータ記録制御を行ない、再生区間情報としてＡＶＣＨＤフォーマットにおいて規定されるプレイリストマークによって設定されるチャプタ単位の代表画像として設定される被参照ピクチャであるＩＤＲ（Ｉｎｓｔａｎｔａｎｅｏｕｓ  Ｄｅｃｏｄｉｎｇ  Ｒｅｆｒｅｓｈ）ピクチャの読み取りに適用する情報を代表画像アクセス情報として、前記属性情報ファイルに記録する制御を行なうことを特徴とする請求項１５に記載の情報処理方法。
【請求項１９】
前記代表画像アクセス情報は、
前記ＩＤＲピクチャの読み取りに適用するアドレス情報としてのＩＤＲ論理セクタ番号と、ＩＤＲピクチャのデータサイズであるＩＤＲサイズであることを特徴とする請求項１８に記載の情報処理方法。
【請求項２０】
前記制御部は、予め規定された階層型の管理構成を持つデータ記録フォーマットであるＡＶＣＨＤフォーマットに従ったデータ記録制御を行ない、
前記代表画像アクセス情報を、前記ＡＶＣＨＤ記録フォーマットにおいて規定される属性情報を格納した属性情報ファイルに記録する制御を行なうことを特徴とする請求項１５に記載の情報処理方法。
【請求項２１】
前記制御部は、前記ＡＶＣＨＤ記録フォーマットにおいて規定されるプレイリストファイルまたはインデックスファイルに前記代表画像アクセス情報を記録する制御を行なうことを特徴とする請求項２０に記載の情報処理方法。
【請求項２２】
前記制御部は、前記ＡＶＣＨＤ記録フォーマットにおいて規定されるプレイリストファイルまたはインデックスファイルに設定されるメーカー対応情報の書き込み許容領域に前記代表画像アクセス情報を記録する制御を行なうことを特徴とする請求項２１に記載の情報処理方法。
【請求項２３】
情報処理装置において、予め規定された階層型の管理構成を持つデータ記録フォーマットに従って情報記録媒体に記録されたデータの再生処理を実行する情報処理方法であり、
制御部が、情報記録媒体の記録データに設定されたデータ区間の代表画像の読み取り処理おいて、前記記録フォーマットに規定された属性情報ファイルに記録された代表画像のアドレス情報と読み取りデータサイズ情報を含む代表画像アクセス情報を取得して、取得した代表画像アクセス情報に従って代表画像の読み取りを行なうことを特徴とする情報処理方法。
【請求項２４】
情報記録媒体に記録されたデータは、ピクチャグループによって構成されるＧＯＰ（Ｇｒｏｕｐ  Ｏｆ  Ｐｉｃｔｕｒｅ）を設定したエンコードデータであり、
前記制御部は、再生区間情報としてのマークによって設定されるチャプタ単位の代表画像として設定される被参照ピクチャの読み取りに際して、前記代表画像アクセス情報を適用した処理を行なうことを特徴とする請求項２３に記載の情報処理方法。
【請求項２５】
前記制御部は、ＡＶＣＨＤフォーマットに従った記録データの再生制御を行ない、再生区間情報としてＡＶＣＨＤフォーマットにおいて規定されるプレイリストマークによって設定されるチャプタ単位の代表画像として設定される被参照ピクチャであるＩＤＲ（Ｉｎｓｔａｎｔａｎｅｏｕｓ  Ｄｅｃｏｄｉｎｇ  Ｒｅｆｒｅｓｈ）ピクチャの読み取りにおいて、前記代表画像アクセス情報を適用した処理を行なうことを特徴とする請求項２３に記載の情報処理方法。
【請求項２６】
前記代表画像アクセス情報は、
前記ＩＤＲピクチャの読み取りに適用するアドレス情報としてのＩＤＲ論理セクタ番号と、ＩＤＲピクチャのデータサイズであるＩＤＲサイズであることを特徴とする請求項２５に記載の情報処理方法。
【請求項２７】
前記制御部は、予め規定された階層型の管理構成を持つデータ記録フォーマットであるＡＶＣＨＤフォーマットに従った記録データの再生制御を行ない、前記ＡＶＣＨＤ記録フォーマットにおいて規定されるプレイリストファイルまたはインデックスファイルに記録された代表画像アクセス情報を取得して、取得した代表画像アクセス情報に従って代表画像の読み取りを行なうことを特徴とする請求項２３に記載の情報処理方法。
【請求項２８】
前記制御部は、前記ＡＶＣＨＤ記録フォーマットにおいて規定されるプレイリストファイルまたはインデックスファイルに設定されるメーカー対応情報の書き込み許容領域に記録された代表画像アクセス情報を取得して、取得した代表画像アクセス情報に従って代表画像の読み取りを行なうことを特徴とする請求項２７に記載の情報処理方法。
【請求項２９】
情報処理装置において、情報記録媒体に対するデータ記録処理制御を行わせるコンピュータ・プログラムであり、
制御部に、予め規定された階層型の管理構成を持つデータ記録フォーマットに従ったデータ記録制御を行なわせるとともに、記録データに設定されたデータ区間の代表画像の読み取りに適用する代表画像アクセス情報を、前記記録フォーマットに従った属性情報ファイルに記録する制御を行なわせることを特徴とするコンピュータ・プログラム。
【請求項３０】
情報処理装置において、予め規定された階層型の管理構成を持つデータ記録フォーマットに従って情報記録媒体に記録されたデータの再生処理を実行させるコンピュータ・プログラムであり、
情報記録媒体の記録データに設定されたデータ区間の代表画像の読み取り処理に際して、制御部に、前記記録フォーマットに規定された属性情報ファイルに記録された代表画像のアドレス情報と読み取りデータサイズ情報を含む代表画像アクセス情報を取得させて、取得した代表画像アクセス情報に従って代表画像の読み取りを行なわせることを特徴とするコンピュータ・プログラム。
【発明の詳細な説明】
【技術分野】
【０００１】
本発明は、データ記録または再生処理を実行する情報処理装置、および情報処理方法、並びにコンピュータ・プログラムに関する。さらに、詳細には、例えば各チャプタの代表画像をサムネイル（縮小画像）リストとして表示する場合など、所定の画像区間から代表画像を選択して表示する処理を効率的に行なうことを可能とするデータ記録およびデータ再生処理を実行する情報処理装置、および情報処理方法、並びにコンピュータ・プログラムに関する。
【背景技術】
【０００２】
最近では、ディスク型記録メディアの記録容量の増大に伴って、従来の録画テープに代わってディスクに動画像や静止画を保存するタイプのビデオカメラが出現してきている。ディスク型記録メディアはランダム・アクセスが可能であるから、好きなシーンを効率的に見つけ出すことができるとともに、データへのアクセスは非接触であるから情報記録媒体（メディア）を劣化させることなく利用することができる。例えば、ＤＶＤビデオカメラは、画質の良さや編集ができるなどの使い勝手の良さから年々ユーザが拡大してきている。
【０００３】
さらに、近年、データ品質を向上させたハイビジョンデータ、すなわちＨＤ（Ｈｉｇｈ−Ｄｅｆｉｎｉｔｉｏｎ）デジタルデータの記録、再生を行なう機器が開発され、利用されている。
【０００４】
また、最新のＨＤデータの記録フォーマットとしてＡＶＣＨＤフォーマットが提案された。ＡＶＣＨＤフォーマットは、例えば、ビデオカメラで撮影した動画像ストリームをＭＰＥＧ２−ＴＳストリームに符号化して記録するフォーマットであり、階層型のデータ管理構成を持つ。
【０００５】
このＡＶＣＨＤフォーマットは、インデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）、クリップＡＶストリーム（ＣｌｉｐＡＶＳｔｒｅａｍ）の各ファイルが生成され記録される。なお、この記録フォーマットについては、本発明の説明中において詳細に説明する。
【０００６】
このＡＶＣＨＤフォーマットにおいては、記録された実データは、クリップＡＶストリーム（ＣｌｉｐＡＶＳｔｒｅａｍ）ファイルに記録され、この実データに対応する管理情報などが、インデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）の各属性情報ファィルに散在して記録される設定とされている。
【０００７】
このような記録データの再生を行なう場合、チャプタなどの再生区間毎に選択された代表画像のリストをディスプレイに提示する処理が行なわれる場合がある。例えば、ユーザが多くの記録データから再生対象を効率的に選択するためのサムネイルリストの表示処理などである。
【０００８】
情報記録媒体に記録されたデータは符号化（エンコード）されたデータであり、例えば、被参照ピクチャを含むピクチャグループとして設定されるＧＯＰ（Ｇｒｏｕｐ  Ｏｆ  Ｐｉｃｔｕｒｅ）から構成されるエンコードデータである。再生装置は、再生リスト表示の際には、このようなエンコードデータから選択された画像のリストを作成して表示する。このリスト表示処理においては、多くの場合、ＧＯＰに含まれる被参照ピクチャ［Ｉ（Ｉｎｔｒａ）ピクチャ］を選択して復号を行い表示する。Ｉピクチャは他のピクチャの参照をすることなく，復号可能なデータであり、効率的に復号を行なうことができるからである。なお、ＡＶＣＨＤフォーマットでは、被参照ピクチャは、ＩＤＲ（Ｉｎｓｔａｎｔａｎｅｏｕｓ  Ｄｅｃｏｄｉｎｇ  Ｒｅｆｒｅｓｈ）ピクチャと呼ばれる。
【０００９】
このような被参照ピクチャ（ＩＤＲ（Ｉ）ピクチャ）の選択表示を行なう場合、ＩＤＲピクチャの情報記録媒体における記録位置を管理情報ファイルから取得することが必要となる。例えば、上述のＡＶＣＨＤフォーマットに従って記録されたデータでは、インデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）の各属性情報ファィルに管理情報が記録され、ＩＤＲピクチャの情報記録媒体における記録位置を取得する場合、これらの複数のファイルをアクセスして必要情報を順次、読み取らなければならない。例えば多数の代表画像を一覧表示する場合には、多大な時間を要し、ユーザを待たせることになる。
【発明の開示】
【発明が解決しようとする課題】
【００１０】
本発明は、上述の問題点に鑑みてなされたものであり、サムネイル画像のリスト表示など、代表画像を選択して表示する際に必要とする代表画像、例えば被参照ピクチャ（ＩＤＲ（Ｉ）ピクチャ）のアクセス情報を効率的に取得して、迅速な表示処理を実現するデータ記録およびデータ再生処理を実行する情報処理装置、および情報処理方法、並びにコンピュータ・プログラムを提供することを目的とする。
【課題を解決するための手段】
【００１１】
本発明の第１の側面は、
情報記録媒体に対するデータ記録処理制御を行う制御部を有し、
前記制御部は、
予め規定された階層型の管理構成を持つデータ記録フォーマットに従ったデータ記録制御を行なう構成であり、記録データに設定されたデータ区間の代表画像の読み取りに適用する代表画像アクセス情報を、前記記録フォーマットに従った属性情報ファイルに記録する制御を行なう構成であることを特徴とする情報処理装置にある。
【００１２】
さらに、本発明の情報処理装置の一実施態様において、前記制御部は、ピクチャグループによって構成されるＧＯＰ（Ｇｒｏｕｐ  Ｏｆ  Ｐｉｃｔｕｒｅ）を設定したエンコードデータの記録および記録データに対応する管理情報の記録制御を行ない、
再生区間情報としてのマークによって設定されるチャプタ単位の代表画像として設定される被参照ピクチャの読み取りに適用する情報を代表画像アクセス情報として、前記属性情報ファイルに記録する制御を行なう構成であることを特徴とする。
【００１３】
さらに、本発明の情報処理装置の一実施態様において、前記制御部は、前記代表画像アクセス情報として、代表画像の読み取りに適用するアドレス情報と読み取りデータサイズ情報を前記属性情報ファイルに記録する制御を行なう構成であることを特徴とする。
【００１４】
さらに、本発明の情報処理装置の一実施態様において、前記制御部は、ＡＶＣＨＤフォーマットに従ったデータ記録制御を行なう構成であり、再生区間情報としてＡＶＣＨＤフォーマットにおいて規定されるプレイリストマークによって設定されるチャプタ単位の代表画像として設定される被参照ピクチャであるＩＤＲ（Ｉｎｓｔａｎｔａｎｅｏｕｓ  Ｄｅｃｏｄｉｎｇ  Ｒｅｆｒｅｓｈ）ピクチャの読み取りに適用する情報を代表画像アクセス情報として、前記属性情報ファイルに記録する制御を行なう構成であることを特徴とする。
【００１５】
さらに、本発明の情報処理装置の一実施態様において、前記代表画像アクセス情報は、前記ＩＤＲピクチャの読み取りに適用するアドレス情報としてのＩＤＲ論理セクタ番号と、ＩＤＲピクチャのデータサイズであるＩＤＲサイズであることを特徴とする。
【００１６】
さらに、本発明の情報処理装置の一実施態様において、前記制御部は、予め規定された階層型の管理構成を持つデータ記録フォーマットであるＡＶＣＨＤフォーマットに従ったデータ記録制御を行なう構成であり、前記代表画像アクセス情報を、前記ＡＶＣＨＤ記録フォーマットにおいて規定される属性情報を格納した属性情報ファイルに記録する制御を行なう構成であることを特徴とする。
【００１７】
さらに、本発明の情報処理装置の一実施態様において、前記制御部は、前記ＡＶＣＨＤ記録フォーマットにおいて規定されるプレイリストファイルまたはインデックスファイルに前記代表画像アクセス情報を記録する制御を行なう構成であることを特徴とする。
【００１８】
さらに、本発明の情報処理装置の一実施態様において、前記制御部は、前記ＡＶＣＨＤ記録フォーマットにおいて規定されるプレイリストファイルまたはインデックスファイルに設定されるメーカー対応情報の書き込み許容領域に前記代表画像アクセス情報を記録する制御を行なう構成であることを特徴とする。
【００１９】
さらに、本発明の第２の側面は、
予め規定された階層型の管理構成を持つデータ記録フォーマットに従って情報記録媒体に記録されたデータの再生処理を実行する情報処理装置であり、
情報記録媒体に記録されたデータの再生制御を行う制御部を有し、
前記制御部は、
情報記録媒体の記録データに設定されたデータ区間の代表画像の読み取り処理おいて、
前記記録フォーマットに規定された属性情報ファイルに記録された代表画像のアドレス情報と読み取りデータサイズ情報を含む代表画像アクセス情報を取得して、取得した代表画像アクセス情報に従って代表画像の読み取りを行なう構成であることを特徴とする情報処理装置にある。
【００２０】
さらに、本発明の情報処理装置の一実施態様において、情報記録媒体に記録されたデータは、ピクチャグループによって構成されるＧＯＰ（Ｇｒｏｕｐ  Ｏｆ  Ｐｉｃｔｕｒｅ）を設定したエンコードデータであり、前記制御部は、再生区間情報としてのマークによって設定されるチャプタ単位の代表画像として設定される被参照ピクチャの読み取りに際して、前記代表画像アクセス情報を適用した処理を行なう構成であることを特徴とする。
【００２１】
さらに、本発明の情報処理装置の一実施態様において、前記制御部は、ＡＶＣＨＤフォーマットに従った記録データの再生制御を行なう構成であり、再生区間情報としてＡＶＣＨＤフォーマットにおいて規定されるプレイリストマークによって設定されるチャプタ単位の代表画像として設定される被参照ピクチャであるＩＤＲ（Ｉｎｓｔａｎｔａｎｅｏｕｓ  Ｄｅｃｏｄｉｎｇ  Ｒｅｆｒｅｓｈ）ピクチャの読み取りにおいて、前記代表画像アクセス情報を適用した処理を行なう構成であることを特徴とする。
【００２２】
さらに、本発明の情報処理装置の一実施態様において、前記代表画像アクセス情報は、前記ＩＤＲピクチャの読み取りに適用するアドレス情報としてのＩＤＲ論理セクタ番号と、ＩＤＲピクチャのデータサイズであるＩＤＲサイズであることを特徴とする。
【００２３】
さらに、本発明の情報処理装置の一実施態様において、前記制御部は、予め規定された階層型の管理構成を持つデータ記録フォーマットであるＡＶＣＨＤフォーマットに従った記録データの再生制御を行なう構成であり、前記ＡＶＣＨＤ記録フォーマットにおいて規定されるプレイリストファイルまたはインデックスファイルに記録された代表画像アクセス情報を取得して、取得した代表画像アクセス情報に従って代表画像の読み取りを行なう構成であることを特徴とする。
【００２４】
さらに、本発明の情報処理装置の一実施態様において、前記制御部は、前記ＡＶＣＨＤ記録フォーマットにおいて規定されるプレイリストファイルまたはインデックスファイルに設定されるメーカー対応情報の書き込み許容領域に記録された代表画像アクセス情報を取得して、取得した代表画像アクセス情報に従って代表画像の読み取りを行なう構成であることを特徴とする。
【００２５】
さらに、本発明の第３の側面は、
情報処理装置において、情報記録媒体に対するデータ記録処理制御を行う情報処理方法であり、
制御部が、予め規定された階層型の管理構成を持つデータ記録フォーマットに従ったデータ記録制御を行なうとともに、記録データに設定されたデータ区間の代表画像の読み取りに適用する代表画像アクセス情報を、前記記録フォーマットに従った属性情報ファイルに記録する制御を行なうことを特徴とする情報処理方法にある。
【００２６】
さらに、本発明の情報処理方法の一実施態様において、前記制御部は、ピクチャグループによって構成されるＧＯＰ（Ｇｒｏｕｐ  Ｏｆ  Ｐｉｃｔｕｒｅ）を設定したエンコードデータの記録および記録データに対応する管理情報の記録制御を行ない、再生区間情報としてのマークによって設定されるチャプタ単位の代表画像として設定される被参照ピクチャの読み取りに適用する情報を代表画像アクセス情報として、前記属性情報ファイルに記録する制御を行なうことを特徴とする。
【００２７】
さらに、本発明の情報処理方法の一実施態様において、前記制御部は、前記代表画像アクセス情報として、代表画像の読み取りに適用するアドレス情報と読み取りデータサイズ情報を前記属性情報ファイルに記録する制御を行なうことを特徴とする。
【００２８】
さらに、本発明の情報処理方法の一実施態様において、前記制御部は、ＡＶＣＨＤフォーマットに従ったデータ記録制御を行ない、再生区間情報としてＡＶＣＨＤフォーマットにおいて規定されるプレイリストマークによって設定されるチャプタ単位の代表画像として設定される被参照ピクチャであるＩＤＲ（Ｉｎｓｔａｎｔａｎｅｏｕｓ  Ｄｅｃｏｄｉｎｇ  Ｒｅｆｒｅｓｈ）ピクチャの読み取りに適用する情報を代表画像アクセス情報として、前記属性情報ファイルに記録する制御を行なうことを特徴とする。
【００２９】
さらに、本発明の情報処理方法の一実施態様において、前記代表画像アクセス情報は、前記ＩＤＲピクチャの読み取りに適用するアドレス情報としてのＩＤＲ論理セクタ番号と、ＩＤＲピクチャのデータサイズであるＩＤＲサイズであることを特徴とする。
【００３０】
さらに、本発明の情報処理方法の一実施態様において、前記制御部は、予め規定された階層型の管理構成を持つデータ記録フォーマットであるＡＶＣＨＤフォーマットに従ったデータ記録制御を行ない、前記代表画像アクセス情報を、前記ＡＶＣＨＤ記録フォーマットにおいて規定される属性情報を格納した属性情報ファイルに記録する制御を行なうことを特徴とする。
【００３１】
さらに、本発明の情報処理方法の一実施態様において、前記制御部は、前記ＡＶＣＨＤ記録フォーマットにおいて規定されるプレイリストファイルまたはインデックスファイルに前記代表画像アクセス情報を記録する制御を行なうことを特徴とする。
【００３２】
さらに、本発明の情報処理方法の一実施態様において、前記制御部は、前記ＡＶＣＨＤ記録フォーマットにおいて規定されるプレイリストファイルまたはインデックスファイルに設定されるメーカー対応情報の書き込み許容領域に前記代表画像アクセス情報を記録する制御を行なうことを特徴とする。
【００３３】
さらに、本発明の第４の側面は、
情報処理装置において、予め規定された階層型の管理構成を持つデータ記録フォーマットに従って情報記録媒体に記録されたデータの再生処理を実行する情報処理方法であり、
制御部が、情報記録媒体の記録データに設定されたデータ区間の代表画像の読み取り処理おいて、前記記録フォーマットに規定された属性情報ファイルに記録された代表画像のアドレス情報と読み取りデータサイズ情報を含む代表画像アクセス情報を取得して、取得した代表画像アクセス情報に従って代表画像の読み取りを行なうことを特徴とする情報処理方法にある。
【００３４】
さらに、本発明の情報処理方法の一実施態様において、情報記録媒体に記録されたデータは、ピクチャグループによって構成されるＧＯＰ（Ｇｒｏｕｐ  Ｏｆ  Ｐｉｃｔｕｒｅ）を設定したエンコードデータであり、前記制御部は、再生区間情報としてのマークによって設定されるチャプタ単位の代表画像として設定される被参照ピクチャの読み取りに際して、前記代表画像アクセス情報を適用した処理を行なうことを特徴とする。
【００３５】
さらに、本発明の情報処理方法の一実施態様において、前記制御部は、ＡＶＣＨＤフォーマットに従った記録データの再生制御を行ない、再生区間情報としてＡＶＣＨＤフォーマットにおいて規定されるプレイリストマークによって設定されるチャプタ単位の代表画像として設定される被参照ピクチャであるＩＤＲ（Ｉｎｓｔａｎｔａｎｅｏｕｓ  Ｄｅｃｏｄｉｎｇ  Ｒｅｆｒｅｓｈ）ピクチャの読み取りにおいて、前記代表画像アクセス情報を適用した処理を行なうことを特徴とする。
【００３６】
さらに、本発明の情報処理方法の一実施態様において、前記代表画像アクセス情報は、前記ＩＤＲピクチャの読み取りに適用するアドレス情報としてのＩＤＲ論理セクタ番号と、ＩＤＲピクチャのデータサイズであるＩＤＲサイズであることを特徴とする。
【００３７】
さらに、本発明の情報処理方法の一実施態様において、前記制御部は、予め規定された階層型の管理構成を持つデータ記録フォーマットであるＡＶＣＨＤフォーマットに従った記録データの再生制御を行ない、前記ＡＶＣＨＤ記録フォーマットにおいて規定されるプレイリストファイルまたはインデックスファイルに記録された代表画像アクセス情報を取得して、取得した代表画像アクセス情報に従って代表画像の読み取りを行なうことを特徴とする。
【００３８】
さらに、本発明の情報処理方法の一実施態様において、前記制御部は、前記ＡＶＣＨＤ記録フォーマットにおいて規定されるプレイリストファイルまたはインデックスファイルに設定されるメーカー対応情報の書き込み許容領域に記録された代表画像アクセス情報を取得して、取得した代表画像アクセス情報に従って代表画像の読み取りを行なうことを特徴とする。
【００３９】
さらに、本発明の第５の側面は、
情報処理装置において、情報記録媒体に対するデータ記録処理制御を行わせるコンピュータ・プログラムであり、
制御部に、予め規定された階層型の管理構成を持つデータ記録フォーマットに従ったデータ記録制御を行なわせるとともに、記録データに設定されたデータ区間の代表画像の読み取りに適用する代表画像アクセス情報を、前記記録フォーマットに従った属性情報ファイルに記録する制御を行なわせることを特徴とするコンピュータ・プログラムにある。
【００４０】
さらに、本発明の第６の側面は、
情報処理装置において、予め規定された階層型の管理構成を持つデータ記録フォーマットに従って情報記録媒体に記録されたデータの再生処理を実行させるコンピュータ・プログラムであり、
情報記録媒体の記録データに設定されたデータ区間の代表画像の読み取り処理に際して、制御部に、前記記録フォーマットに規定された属性情報ファイルに記録された代表画像のアドレス情報と読み取りデータサイズ情報を含む代表画像アクセス情報を取得させて、取得した代表画像アクセス情報に従って代表画像の読み取りを行なわせることを特徴とするコンピュータ・プログラムにある。
【００４１】
なお、本発明のコンピュータ・プログラムは、例えば、様々なプログラム・コードを実行可能なコンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００４２】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００４３】
本発明の一実施例構成によれば、例えばチャプタに対応して設定された代表画像としての被参照画像（ＩＤＲ）のアクセス情報として、代表画像の読み取りに適用するアドレス情報と読み取りデータサイズ情報を含む代表画像アクセス情報をプレイリストファイルまたはインデックスファイルに記録する構成としたので、再生処理において、サムネイルリスト表示など、代表画像の読み取り再生を行なう場合、代表画像アクセス情報を参照した処理が可能となり、ＩＤＲ読み取り再生を効率的に迅速に行なうことが可能となる。
【発明を実施するための最良の形態】
【００４４】
以下、図面を参照しながら本発明の情報処理装置、および情報処理方法、並びにコンピュータ・プログラムの詳細について説明する。なお、説明は、以下の項目順に行なう。
１．システム構成
２．データ・フォーマット
３．ＡＶＣＨＤフォーマットに従った代表画像取得再生処理例について
４．代表画像アクセス情報の記録および利用構成
（４−１）プレイリストファイルのプレイリストマーク単位のメーカーズインフォメーション（ＭａｋｅｒｓＩｎｆｏｒｍａｔｉｏｎ）領域に代表画像アクセス情報を記録する実施例
（４−２）インデックスファイルのメーカーズプライベートデータ（ＭａｋｅｒｓＰｒｉｖａｔｅＤａｔａ）領域に代表画像アクセス情報を記録する実施例
【００４５】
［１．システム構成］
図１は、本発明の一実施形態に係る情報処理装置１００の構成示したブロック図である。図１には、本発明の情報処理装置の一例であるビデオカメラの構成を示している。図１に示すように情報処理装置１００は、記録再生制御部１１０、媒体制御部（読み書き処理部）１２０、記録再生用ワークメモリ１３０、符号復号化部１４０、入出力信号制御部１５０を有する。記録再生制御部１１０は、主制御部（プロセッサ）１１１、ＲＯＭ１１２、ＲＡＭ１１３、入出力インタフェース１１４を有する。
【００４６】
情報処理装置１００は、例えば、情報記録媒体（メディア）１８０を利用して動画像などのデータの記録再生を行なう。情報記録媒体（メディア）１８０に対するデータ記録は、ＡＶＣＨＤフォーマットに従って実行される。ＡＶＣＨＤフォーマットに従ったデータ記録構成については、次の［２．データ・フォーマット］の項目において詳細に説明する。
【００４７】
データ記録処理に際しては、入出力信号制御部１５０から入力する例えば動画像データに対して、符号復号化部１４０において符号化を実行する。符号復号化部１４０では、たとえば、入力された動画像信号を構成するビデオストリームとオーディオストリームに対する符号化を行ない多重化したデータストリームを生成する。符号復号化部１４０において符号化されたデータは、記録再生用ワークメモリ１３０に格納された後、媒体制御部１２０の処理によって情報記録媒体（メディア）１８０に記録される。
【００４８】
符号復号化部１４０においてデータ記録処理の際に実行する符号化処理は、記録データが動画である場合と静止画である場合と異なり、情報記録媒体（メディア）１８０には、動画ファイルと静止画ファイルが記録される。
【００４９】
記録再生制御部１１０は、情報処理装置において実行するデータ記録処理、データ再生処理などの各種の処理を制御する。記録再生制御部１１０は、主制御部（プロセッサ）１１１と，ＲＯＭ１１２と，ＲＡＭ１１３と，入出力インタフェース１１４と，これらを相互に接続するバス１１５とを備えている。
【００５０】
主制御部（プロセッサ）１１１は、例えば、符号復号化部１４０に符号復号化処理の開始・停止の指示を出す。また、媒体制御部１２０に情報記録媒体（メディア）１８０に対するデータの読み込み・書き込み処理の実行命令を出力する。さらに、入出力信号制御部１５０に対して、符号復号化部１４０からの入力信号をキャプチャし、キャプチャした入力信号を符号復号化部１４０へ出力する制御などを実行する。
【００５１】
記録再生制御部１１０のＲＯＭ１１２は、主制御部（プロセッサ）１１１において実行されるプログラムや各種パラメータ等を保持するメモリであり、例えば，フラッシュメモリ等のＥＥＰＲＯＭにより実現される。ＲＡＭ１１３は、主制御部（プロセッサ）１１１におけるプログラム実行に必要な作業データ等を保持するメモリであり，例えばＳＲＡＭやＤＲＡＭ等により実現される。入出力インタフェース１１４は、例えばユーザ入力部や表示部、ネットワークなどに接続され、外部とのデータやコマンドの入出力を行うインタフェースである。例えば、ＲＯＭ１１２内のプログラムを更新する等のためにも使用される。
【００５２】
［２．データ・フォーマット］
図２には、情報記録媒体（メディア）１８０にデータを記録するためのデータ構造の一例を示している。以下では、ＡＶＣＨＤフォーマットに従ったデータ記録構成について説明する。図示のように、ビデオカメラで撮影した動画像ストリームをＭＰＥＧ２−ＴＳストリームに符号化して記録する際に、インデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）、クリップＡＶストリーム（ＣｌｉｐＡＶＳｔｒｅａｍ）の各ファイルが生成され記録される。また、所定データ単位のクリップＡＶストリームファイルと対応するクリップ情報ファイルをまとめて便宜上クリップと呼ぶ。また、撮影した動画データの格納されるクリップＡＶストリームファイル以外の管理情報等が格納されるインデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）の各ファイルを属性情報ファイルとする。以下、各ファイルの詳細について説明する表を示す。
【００５３】
【表１】
2008047963.tif 000003
【００５４】
インデックスのファイル種別レイヤで情報記録媒体１８０全体が管理されている。ユーザに見せるタイトル毎にインデックスファイルが作成され、ムービーオブジェクトとの対応関係を管理している。ＡＶＣＨＤフォーマットでは、本来ムービーオブジェクトファイルで管理すべきプレイリストの再生順をインデックスファイルのメタデータ内で管理している。情報記録媒体をプレーヤに装填した際にはまずインデックスが読み込まれ、ユーザはインデックスに記述されたタイトルを見ることができる。
【００５５】
ムービーオブジェクトは、再生されるプレイリストを管理しているファイルである。ムービーオブジェクトへの参照は、タイトルの入り口としてインデックスに列挙されている。但し、ＡＶＣＨＤフォーマットでは、ムービーオブジェクトファイルを参照せずに、インデックスファイルのメタデータによってプレイリストとタイトルの関係を管理するようになっている。
【００５６】
プレイリストは、ユーザに見せるタイトルに対応して設けられ、少なくとも１以上のプレイアイテムで構成される再生リストである。各プレイアイテムは、クリップに対する再生開始点（ＩＮ点）と再生終了点（ＯＵＴ点）を持つことで、その再生区間を指定している。そして、プレイリスト内で複数のプレイアイテムを時間軸上に並べることで、それぞれの再生区間の再生順序を指定することができる。また、異なるクリップを参照するプレイアイテムを１つのプレイリストに含めることができる。
【００５７】
クリップとプレイリスト間の参照関係は、自由に設定することができる。例えば、１つのクリップに対する参照を、ＩＮ点及びＯＵＴ点の異なる２つのプレイリストから行なうことができる。さらに、タイトルとムービーオブジェクト間での参照関係も自由に設定することができる。プレイリストは、クリップとの参照関係に応じて、リアルプレイリスト（実プレイリスト）とバーチャルプレイリスト（仮想プレイリスト）の２種類に大別される。
【００５８】
リアルプレイリストは、オリジナル・タイトル用のプレイリストであり、ビデオカメラにより録画・撮影した映像ストリームについてのプレイアイテムを記録した順に記録している。
【００５９】
バーチャルプレイリストは、非破壊編集によりユーザ定義の再生リストを作成するためのプレイリストであり、バーチャルプレイリスト独自のクリップ（ＡＶストリーム）を持たず、同リスト内のプレイアイテムはいずれかのリアルプレイリストに登録されているクリップ又はその一部の範囲を指している。すなわち、ユーザは複数のクリップから必要な再生区間のみを切り出して、これらを指す各プレイアイテムを取りまとめてバーチャルプレイリストを編集することができる。
【００６０】
クリップＡＶストリームは、ＭＰＥＧ−ＴＳ形式で情報記録媒体１８０に記録されたストリームが格納されているファイルである。画像データはこのファイル内に格納される。
【００６１】
クリップ情報は、クリップＡＶストリームファイルと対で存在し、実際のストリームを再生する上で必要となるストリームに関する情報が記載されたファイルである。
【００６２】
ＡＶＣＨＤフォーマットにおいては、上述したように、インデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）の属性情報ファイルと、動画像データの格納されるＡＶストリーム（ＣｌｉｐＡＶＳｔｒｅａｍ）の各ファイルが図２に示すような階層構成として生成され記録される。
【００６３】
なお、これらのファイルやデータの名称は一例であり、他の表現が使用される場合もある。各ファイル、データの実質的な内容は、以下のような対応となる。
（１）ＡＶストリーム（ＣｌｉｐＡＶＳｔｒｅａｍ）：コンテンツデータ
（２）クリップ情報（ＣｌｉｐＩｎｆｏｒｍａｔｉｏｎ）：ＡＶストリームと１対１で対応し、対応するＡＶストリームの属性を定義するファイル。（例えば、ｃｏｄｉｎｇ，ｓｉｚｅ，時間→アドレス変換、再生管理情報、タイムマップ等が含まれている。）
（３）プレイアイテム（ＰｌａｙＩｔｅｍ）：クリップ情報（ＣｌｉｐＩｎｆｏｒｍａｔｉｏｎ）に対する再生開始点と再生終了点で再生区間を指定するデータ。
（４）プレイリスト（ＰｌａｙＬｉｓｔ）：１以上のプレイアイテム（ＰｌａｙＩｔｅｍ）で構成される再生リスト。
（５）マーク（Ｍａｒｋ）：一般的には、プレイリスト（ＰｌａｙＬｉｓｔ）中に存在し、再生コンテンツのある時間的位置を示すもの。一般的にマークとマークの間をチャプタという。
（６）ムービーオブジェクト（ＭｏｖｉｅＯｂｊｅｃｔ）：再生制御を行うためのコマンドの集合体。
（７）タイトル（Ｔｉｔｌｅ）：（ユーザが認識できる）再生リストの集合体。
【００６４】
なお、以下の説明では、上述の対応を持つデータやファイルについて、それぞれ、クリップＡＶストリーム（ＣｌｉｐＡＶＳｔｒｅａｍ）、クリップ情報（ＣｌｉｐＩｎｆｏｒｍａｔｉｏｎ）、プレイアイテム（ＰｌａｙＩｔｅｍ）、プレイリスト（ＰｌａｙＬｉｓｔ）、マーク（Ｍａｒｋ）、ムービーオブジェクト（ＭｏｖｉｅＯｂｊｅｃｔ）、タイトル（Ｔｉｔｌｅ）として説明するが、実質的に同じ内容のデータ、ファイル等を持つ構成についても本発明が適用可能である。
【００６５】
図３は、図２を参照して説明したプレイリスト（ＰｌａｙＬｉｓｔ）、プレイアイテム（ＰｌａｙＩｔｅｍ）、クリップ（Ｃｌｉｐ）、クリップ情報（ＣｌｉｐＩｎｆｏｒｍａｔｉｏｎ）、クリップＡＶストリーム（ＣｌｉｐＡＶＳｔｒｅａｍ）の関係を示すＵＭＬ（Ｕｎｉｆｉｅｄ  Ｍｏｄｅｌｉｎｇ  Ｌａｎｇｕａｇｅ）図である。プレイリストは、１または複数のプレイアイテムに対応付けられ、プレイアイテムは、１のクリップに対応付けられる。１のクリップに対して、それぞれ開始点および／または終了点が異なる複数のプレイアイテムを対応付けることができる。１のクリップから１のクリップＡＶストリームファイルが参照される。同様に、１のクリップから１のクリップ情報ファイルが参照される。また、クリップＡＶストリームファイルとクリップ情報ファイルとは、１対１の対応関係を有する。このような構造を定義することにより、クリップＡＶストリームファイルを変更することなく、任意の部分だけを再生する、非破壊の再生順序指定を行うことが可能となる。
【００６６】
また、図４のように、複数のプレイリストから同一のクリップを参照することもできる。また、１のプレイリストから複数のクリップを指定することもできる。クリップは、プレイリスト中のプレイアイテムに示されるＩＮ点およびＯＵＴ点により、参照される。図４の例では、クリップ２００は、プレイリスト２１０のプレイアイテム２２０から参照されると共に、プレイリスト２１１を構成するプレイアイテム２２１および２２２のうちプレイアイテム２２１から、ＩＮ点およびＯＵＴ点で示される区間が参照される。また、クリップ２０１は、プレイリスト２１１のプレイアイテム２２２からＩＮ点およびＯＵＴ点で示される区間が参照されると共に、プレイリスト２１２のプレイアイテム２２３および２２４のうち、プレイアイテム２２３のＩＮ点およびＯＵＴ点で示される区間が参照される。
【００６７】
なお、プレイリストは、図５に一例が示されるように、主として再生されるプレイアイテムに対応するメインパスに対して、サブプレイアイテムに対応するサブパスを持つことができる。例えば、このプレイリストに付けられているアフレコオーディオ用のプレイアイテムをサブプレイアイテムとして、プレイリストに持たせることができる。詳細は省略するが、プレイリストは、所定の条件を満たす場合にだけ、サブプレイアイテムを持つことができる。
【００６８】
次に、情報記録媒体（メディア）に記録されるファイルの管理構造について、図６を用いて説明する。図２〜図４等を参照して説明したように、情報記録媒体（メディア）に記録されるデータには、ムービーオブジェクト（ＭｏｖｉｅＯｂｊｅｃｔ）、プレイリスト（ＰｌａｙＬｉｓｔ）、クリップ（Ｃｌｉｐ）があり、クリップ（Ｃｌｉｐ）には、クリップ情報（ＣｌｉｐＩｎｆｏｒｍａｔｉｏｎ）、クリップＡＶストリーム（ＣｌｉｐＡＶＳｔｒｅａｍ）の各ファイルが含まれる。ファイルは、ディレクトリ構造により階層的に管理される。記録媒体上には、先ず、１つのディレクトリ（図６の例ではルート（ｒｏｏｔ）ディレクトリ）が作成される。このディレクトリの下が、１つの記録再生システムで管理される範囲とする。
【００６９】
ルートディレクトリの下に、ディレクトリ［ＢＤＭＶ］が置かれる。ディレクトリ［ＢＤＭＶ］に、図２を用いて説明したデータ構造が格納される。ディレクトリ［ＢＤＭＶ］の直下には、インデックスファイル［ｉｎｄｅｘ．ｂｄｍｖ］およびムービーオブジェクトファイル［ＭｏｖｉｅＯｂｊｅｃｔ．ｂｄｍｖ］の２つのみを置くことができる。また、ＢＤＭＶディレクトリ［ＢＤＭＶ］の下に、プレイリストディレクトリ［ＰＬＡＹＬＩＳＴ］、クリップ情報ディレクトリ［ＣＬＩＰＩＮＦ］、ストリームディレクトリ［ＳＴＲＥＡＭ］、およびディレクトリ［ＢＡＣＫＵＰ］が置かれる。
【００７０】
インデックスファイル［ｉｎｄｅｘ．ｂｄｍｖ］は、ディレクトリＢＤＭＶの内容について記述される。また、ムービーオブジェクトファイル［ＭｏｖｉｅＯｂｊｅｃｔ．ｂｄｍｖ］は、１つ以上のムービーオブジェクトの情報が格納される。
【００７１】
プレイリストディレクトリ［ＰＬＡＹＬＩＳＴ］は、プレイリストのデータベースが置かれるディレクトリである。すなわち、プレイリストディレクトリ［ＰＬＡＹＬＩＳＴ］は、ムービープレイリストに関するファイルであるプレイリストファイル［ｘｘｘｘｘ．ｍｐｌｓ］を含む。プレイリストファイル［ｘｘｘｘｘ．ｍｐｌｓ］は、ムービープレイリストのそれぞれに対して作成されるファイルである。ファイル名において、［．］（ピリオド）の前の［ｘｘｘｘｘ］は、５桁の数字とされ、ピリオドの後ろの［ｍｐｌｓ］は、このタイプのファイルに固定的とされた拡張子である。
【００７２】
クリップ情報ディレクトリ［ＣＬＩＰＩＮＦ］は、クリップのデータベースが置かれるディレクトリである。すなわち、クリップ情報ディレクトリ［ＣＬＩＰＩＮＦ］は、クリップＡＶストリームファイルのそれぞれに対するクリップ情報ファイル［ｚｚｚｚｚ．ｃｌｐｉ］を含む。ファイル名において、［．］（ピリオド）の前の［ｚｚｚｚｚ］は、５桁の数字とされ、ピリオドの後ろの［ｃｌｐｉ］は、このタイプのファイルに固定的とされた拡張子である。
【００７３】
ストリームディレクトリ［ＳＴＲＥＡＭ］は、実体としてのＡＶストリームファイルが置かれるディレクトリである。すなわち、ストリームディレクトリ［ＳＴＲＥＡＭ］は、クリップ情報ファイルのそれぞれに対応するクリップＡＶストリームファイルを含む。クリップＡＶストリームファイルは、ＭＰＥＧ２（Ｍｏｖｉｎｇ  Ｐｉｃｔｕｒｅｓ  Ｅｘｐｅｒｔｓ  Ｇｒｏｕｐ  ２）のトランスポートストリーム（以下、ＭＰＥＧ２  ＴＳと略称する）からなり、ファイル名が［ｚｚｚｚｚ．ｍ２ｔｓ］とされる。ファイル名において、ピリオドの前の［ｚｚｚｚｚ］は、対応するクリップ情報ファイルと同一することで、クリップ情報ファイルとこのクリップＡＶストリームファイルとの対応関係を容易に把握することができる。
【００７４】
続いて、ビデオカメラによる録画・撮影に従ってＡＶストリームのクリップとともにプレイリストが生成される手順について、図７〜図８を参照しながら説明する。
【００７５】
図７（ａ），（ｂ）、図８（ｃ），（ｄ）は、（ａ）〜（ｄ）の順にユーザが録画処理の開始、停止を繰り返し実行した場合のクリップおよびプレイリストの生成過程を示している。図７、図８から理解されるように、ユーザが録画開始してから録画停止する区間毎にプレイアイテムが１つずつ作成される。また、録画・撮影したストリームの区切りで１つのクリップＡＶストリームファイルとなり、これに伴ってクリップ情報ファイルも作成される。１つのクリップは連続同期再生すなわち実時間再生が保証された再生が必要な単位となる。
【００７６】
また、ユーザが録画を開始する度に、プレイアイテムの先頭には、エントリマーク（ＥＭ：ｅｎｔｒｙ  ｍａｒｋ）としてのマーク（Ｍａｒｋ）が付け加えられる（プレイリスト内のエントリマークを「プレイリスト・マーク（ＰＬＭ）」とも呼ぶ）。１つのプレイリスト内では、プレイアイテムやマークには、連続的となるシーケンス番号が付与されている。動画像対応のプレイリストの先頭には必ずエントリマークが打たれるという制約があるが、所定の編集操作により時間軸上でエントリマークの位置を移動させることができる。
【００７７】
各エントリマーク（ＥＭ）は、ユーザがストリームにアクセスするエントリ位置となる。したがって、隣接するエントリマーク間で仕切られる区間（並びに最後のマークから最後尾のプレイアイテムの終端の区間）がユーザから見える最小の編集単位すなわち「チャプタ」となる。プレイ項目を再生順に並べることと、エントリマークを再生順に並べることでプレイリストの再生順序が定義される。
【００７８】
［３．ＡＶＣＨＤフォーマットに従った代表画像取得再生処理例について］
先に図２〜図６を参照して説明したように、ＡＶＣＨＤフォーマットでは、
インデックス（ｉｎｄｅｘ）、
ムービーオブジェクト（ＭｏｖｉｅＯｂｊｅｃｔ）、
プレイリスト（ＰｌａｙＬｉｓｔ）、
クリップ情報（ＣｌｉｐＩｎｆｏｒｍａｔｉｏｎ）、
ＡＶストリーム（ＣｌｉｐＡＶＳｔｒｅａｍ）
これらの各ファイルがデータベース内に生成され記録される。
【００７９】
実データとしてのコンテンツは、ＡＶストリームファイルに記録され、コンテンツに対応する各種の管理情報が、インデックス〜クリップ情報によって構成されるデータベースファイルに記録されることになる。
【００８０】
ＡＶストリームファイルに記録されるデータは符号化（エンコード）されたデータであり、例えば、被参照ピクチャを含むピクチャグループとして設定されるＧＯＰ（Ｇｒｏｕｐ  Ｏｆ  Ｐｉｃｔｕｒｅ）から構成されるエンコードデータである。再生を行なう情報処理装置は、例えば再生リストの表示の際に、エンコードデータから代表画像のリスト、例えばサムネイル画像（縮小画像）のリストを作成して表示する処理を行なう。このリスト表示処理では、多くの場合、ＧＯＰに含まれる被参照ピクチャ［Ｉ（Ｉｎｔｒａ）ピクチャ］を選択し復号を実行して表示する。Ｉピクチャは他のピクチャの参照をすることなく，復号化能なデータであり、効率的に復号を行なうことができるからである。なお、ＡＶＣＨＤフォーマットでは、被参照ピクチャは、ＩＤＲ（Ｉｎｓｔａｎｔａｎｅｏｕｓ  Ｄｅｃｏｄｉｎｇ  Ｒｅｆｒｅｓｈ）ピクチャと呼ばれる。
【００８１】
このような被参照ピクチャ（ＩＤＲ（Ｉ）ピクチャ）の選択表示を行なう場合、ＩＤＲ（Ｉ）ピクチャの情報記録媒体における記録位置を管理情報ファイルから取得することが必要となる。例えば、上述のＡＶＣＨＤフォーマットに従って記録されたデータでは、インデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）の各属性情報ファィルに管理情報が記録され、ＩＤＲピクチャの情報記録媒体における記録位置を取得する場合、これらの複数のファイルをアクセスして必要情報を順次、読み取らなければならない。例えば多数の代表画像を一覧表示する場合には、多大な時間を要し、ユーザを待たせることになる。
【００８２】
ＡＶＣＨＤフォーマットに従って記録されたデータを格納した情報記録媒体からのデータ読み取り再生を行なう一例として、各チャプタから代表画像を選択してサムネイル画像として表示する場合の処理シーケンス例について、図９に示すフローチャートを参照して説明する。図９に示すフロー中、二重線で示すステップは、ファイルの読み取り処理に相当する。なお、例えば、すべてのチャプタに対応するサムネイルを生成してリスト表示する場合は、図９に示すフローを繰り返し実行することになる。
【００８３】
図９に示すフローは、例えば図１に示す情報処理装置１００の記録再生制御部１１０の制御の下に実行される処理である。まず、ステップＳ１０１において、再生対象の代表画像が含まれるチャプタに関する情報を記録したプレイリストを特定する。例えば、すべてのチャプタに対応するサムネイルリストを表示する場合は、先頭のプレイリストから順に処理を行なうことになる。
【００８４】
プレイリストは、前述したように、ユーザに見せるタイトルに対応して設けられ、少なくとも１以上のプレイアイテムで構成される再生リストである。各プレイアイテムは、クリップに対する再生開始点（ＩＮ点）と再生終了点（ＯＵＴ点）を持つことで、その再生区間を指定している。
【００８５】
ステップＳ１０２では、特定したプレイリストファイルを読み込み、ステップＳ１０３において、再生開始点としてのプレイリストマークを特定する。プレイアイテムの先頭には、エントリマーク（ＥＭ：ＥｎｔｒｙＭａｒｋ）付与されている。なお、前述したように、プレイリスト内のエントリマークは「プレイリストマーク（ＰＬＭ）」とも呼ばれる。ステップＳ１０３では、プレイリストから、再生開始点に対応するプレイリストマーク（ＰＬＭ）（＝エントリマーク（ＥｎｔｒｙＭａｒｋ））を特定する。
【００８６】
次に、ステップＳ１０４において、再生対象ピクチャを含むプレイアイテムを特定する。プレイアイテムは、クリップに対する再生開始点（ＩＮ点）と再生終了点（ＯＵＴ点）を持つ再生区間指定情報であり、プレイリストファイルから取得することができる。
【００８７】
次に、ステップＳ１０５おいて、再生開始点を含むクリップ情報ファイルを読み込む。ステップＳ１０５において特定されたプレイアイテムに対応するクリップ情報ファイル名は、プレイリストファイルから取得することが可能であり、取得したクリップ情報ファイル名に従ってクリップ情報ファイルを読み込む。
【００８８】
ステップＳ１０６では、クリップ情報ファイルに記録された情報の読み取りを実行し、再生開始ポイントのピクチャに対応する再生指定時刻（ＰＴＳ：プレゼンテーション・タイムスタンプ）を超えずに最も近い再生時間（ＰＴＳ＿ＥＰ＿ｓｔａｒｔ）を持つＧＯＰ（ＥＰ）を特定する。
【００８９】
なお、ＥＰはエントリポイントを示す。エントリポイント（ＥＰ）について簡単に説明する。ＭＰＥＧストリームのようなフレーム間圧縮を行っている符号化ストリームにおいては、デコード開始可能な箇所は、ＧＯＰ（Ｇｒｏｕｐ  Ｏｆ  Ｐｉｃｔｕｒｅ）によって特定され、ＧＯＰを単位としてデコード処理が行なわれる。再生を行なう場合、デコード可能な開始点位置情報が必要となる。デコード単位の先頭位置情報がエントリポイント（ＥＰ）として記録される。
【００９０】
例えば、図１０は、情報記録媒体に記録されたストリームデータの構成例を示す図である。各ＧＯＰ＃００１，ＧＯＰ＃００２，ＧＯＰ＃００３は、エンコードされたピクチャデータを含み、先頭に被参照ピクチャとしてのＩＤＲ（Ｉ）ピクチャ情報が記録されている。
【００９１】
各ＧＯＰ＃００１，ＧＯＰ＃００２，ＧＯＰ＃００３の先頭位置情報がエントリポイント（ＥＰ）として記録される。エントリポイント（ＥＰ）情報は、クリップ情報ファイルに記録され、クリップ情報ファイルから得ることができる。エントリポイント（ＥＰ）から、ＩＤＲ（Ｉ）サイズに相当するデータサイズを読み取ることで、各ＧＯＰに含まれる被参照ピクチャのエンコードデータの読み取りが実行され、これを復号することで代表画像を表示することができる。
【００９２】
クリップ情報ファイルのシンタクスを図１１に示す。クリップ情報は、ＡＶストリームの属性を定義するファイルであり、例えば、ｃｏｄｉｎｇ，ｓｉｚｅ，時間→アドレス変換、再生管理情報、タイムマップ等が含まれ、これらの情報が各被参照ピクチャ（ＩＤＲ（Ｉ）ピクチャ）に対応してクリップ情報内に記録されている。
【００９３】
図１１に示すクリップ情報ファイル中、フィールド［ＴｙｐｅＩｎｄｉｃａｔｏｒ］は、３２ビットのデータ長を有し、このファイルがクリップ情報ファイルであることを示す。フィールド［ＳｅｑｕｅｎｃｅＩｎｆｏＳｔａｒｔＡｄｄｒｅｓｓ］〜［ＥｘｔｅｎｓｉｏｎＤａｔａＳｔａｒｔＡｄｄｒｅｓｓ］は、各々３２ビットのデータ長を有し、このシンタクス内にある各データブロックの開始アドレスを示す。開始アドレスは、ファイルにおいて規定される先頭バイトからの相対バイト数で示される。
【００９４】
クリップ情報ブロック［ｂｌｋＣｌｉｐＩｎｆｏ（）］〜クリップマークブロック［ｂｌｋＣｌｉｐＭａｒｋ（）］は、このクリップ情報ファイルに記録される実質的な内容が記録される。すなわち、実際のストリームを再生する上で必要となるストリームに関する情報が記録される。
【００９５】
図１１に示すクリップ情報ファイルのＣＰＩブロック［ｂｌｋＣＰＩ（）］２５１に、被参照ピクチャ（ＩＤＲ（Ｉ）ピクチャ）に対応するエントリポイント（ＥＰ）情報としてのＥＰマップが記録される。例えばＩＤＲ（Ｉ）ピクチャのプレゼンテーションタイムスタンプ（ＰＴＳ）は０．５秒ごとに設定され、そのタイミングごとＥＰ（エントリポイント）の設定されたＥＰマップが生成されて記録される。ＥＰマップには、各ＧＯＰ（ＥＰ）対応の再生時間（ＰＴＳ＿ＥＰ＿ｓｔａｒｔ）が登録される。すなわち、各ＧＯＰ（ＥＰ）について、各ＧＯＰ（ＥＰ）に含まれる被参照ピクチャであるＩＤＲ（Ｉ）ピクチャに対応するプレゼンテーション・タイムスタンプ（ＰＴＳ）情報が登録される。
【００９６】
例えば、再生装置（プレーヤ）において任意の時刻から再生を行ないたい場合、再生指定時刻（ＰＴＳ）を元にクリップ情報ファイルのＣＰＩを参照することで再生位置のファイル内アドレスを取得する。このアドレスは、デコード単位の先頭となっているため、プレーヤは、そこからデータを読み出してデコードし画像を表示することができる。
【００９７】
図９に示すフローに戻り代表画像の取得再生処理シーケンスについて説明を続ける。ステップＳ１０６で、クリップ情報ファイルに記録された情報の読み取りを実行し、再生開始ポイントのピクチャに対応する再生指定時刻（ＰＴＳ：プレゼンテーション・タイムスタンプ）を超えずに最も近い再生時間（ＰＴＳ＿ＥＰ＿ｓｔａｒｔ）を持つＧＯＰ（ＥＰ）を特定し、ステップＳ１０７において、特定したＧＯＰ（ＥＰ）から、所定のデータサイズ、すなわち、被参照ピクチャとしてのＩＤＲ（Ｉ）ピクチャのサイズに相当するデータサイズの読み取りを実行する。
【００９８】
このＩＤＲ（Ｉ）ピクチャのデータサイズは、各ＧＯＰによって異なり、各ＧＯＰにおけるＩＤＲ（Ｉ）ピクチャのデータサイズは、クリップ情報ファィルに［ＩＥｎｄＰｏｓｉｔｉｏｎＯｆｆｓｅｔ］として記録されており、この情報を参照して、読み取りデータサイズを決定して読み取り処理を実行する。
【００９９】
クリップ情報ファィルに記録されているＩＤＲ（Ｉ）ピクチャのデータサイズを示す［ＩＥｎｄＰｏｓｉｔｉｏｎＯｆｆｓｅｔ］のデータ例を以下に示す。
【０１００】
【表２】
2008047963.tif 000004
【０１０１】
クリップ情報ファイルには、上記表に示す定義値０００ｂ〜１１１ｂのいずれかが、［ＩＥｎｄＰｏｓｉｔｉｏｎＯｆｆｓｅｔ］フィールドに記録されている。ＩＤＲサイズは、各ＧＯＰにおいて様々であり、定義値０００ｂ〜１１１ｂに対応付けて、所定の範囲のＩＤＲサイズがそれぞれ設定される。再生処理を実行する装置は、これらの定義値に対応するＩＤＲサイズを含むデータ領域を読み取りデータサイズとして設定した読み取り処理を実行する。
【０１０２】
次に、ステップＳ１０８において、読み込んだストリームをデコードして代表画像の復号データを取得して表示を行なう。例えばサムネイル（縮小画像）を表示する場合は、サムネイル画像の作成処理を実行して表示する。
【０１０３】
このように、ＡＶＣＨＤフォーマットに従って記録されたデータから代表画像を取得して表示する処理の一般的な処理は、図９に示すフローに従って実行される。このように、代表画像を取得して表示する場合、ＩＤＲ（Ｉ）ピクチャの取得が必要であり、複数のファイルをアクセスして必要情報を順次、読み取らなければならない。例えば多数の代表画像を一覧表示する場合には、多大な時間を要し、ユーザを待たせることになる。
【０１０４】
図９を参照して説明した代表画像再生処理シーケンスについて、情報記録媒体の記録データの読み取り処理およびシーク処理をそれぞれ具体化した処理シーケンスについて図１２を参照して説明する。
【０１０５】
図１２には、情報記録媒体に記録された記録情報２７０を模式的に示している。記録情報には、先に説明したＡＶＣＨＤフォーマットに従った各ファイル（インデックス〜ストリームファィル）が記録されている。図には、代表画像の取得に利用するファイルのみを示している。すなわち、プレイリストファイル２７３、クリップ情報ファイル２７４、ストリームファイル２７５である。ストリームファイルは、先に図１０を参照して説明したＧＯＰ単位のデータを格納している。図１２には、読み取り対象のＧＯＰ内の１つのＩＤＲ（被参照ピクチャ）２７７を示している。
【０１０６】
図に示すＩＥｎｄＰｏｓｉｔｉｏｎＯｆｆｓｅｔ２７６は、クリップ情報ファイルから取得可能なＩＤＲ読み取りサイズである。実際のＩＤＲサイズより大きく設定されている。記録情報２７０には、さらに、ＡＶＣＨＤフォーマットにおいて記録されたファイルのレイアウト情報としてのＦＥ２７２と、さらに、ファイルの基本情報であるＦＩＤ２７１が記録されている。
【０１０７】
記録情報２７０中のファイルにアクセスする場合は、ＦＩＤ２７１をまず読み取り、ＦＩＤ２７１に従ってＦＥ２７２を取得して、ＦＥ２７２から各ファイルの読み取り先を取得して、ファイルアクセスを実行することになる。
【０１０８】
図９のフローに従って実行する処理に対応するファイル読み取りとシーク処理とのシーケンスは、図１２に示す時間ｔａ〜ｔｂに実線および点線デ示す処理になる。時間ｔａ〜ｔｂの処理において実線で示す処理はファイルの読み込み処理であり、点線で示す処理はシーク処理である。
【０１０９】
図９のフローを参照して説明した処理に沿って、図１２に示すファイルの読み込み処理とシーク処理について説明する。まず、図９に示すフローのステップＳ１０１の処理は、再生対象の代表画像が含まれるチャプタに関する情報を記録したプレイリストを特定する処理であり、ステップＳ１０２の処理が、特定したプレイリストファイルを読み込む処理である。
【０１１０】
ステップＳ１０２の処理は、図１２の実線部として示してある。このステップＳ１０２のプレイリストファイルの読み込みに際しては、図１２に示すように、ＦＩＤ２７１を読み込んで、ＦＥ２７２のアクセス情報を取得して、取得した情報に従ってシーク処理を行い、ＦＥ２７２の読み取りを実行して、プレイリストファイルのアクセス情報を取得して、取得したアクセス情報に従ってシーク処理を実行して、図１２に示すステップＳ１０２のプレイリストファイルの読み込みを行なうことになる。
【０１１１】
さらに、このプレイリストファイルの読み取りに際して、図９のフローにおけるステップＳ１０３，Ｓ１０４の処理が実行される。ステップＳ１０３では、プレイリストから、再生開始点に対応するプレイリストマーク（ＰＬＭ）（＝エントリマーク（ＥｎｔｒｙＭａｒｋ））を特定し、ステップＳ１０４で、再生対象ピクチャを含むプレイアイテムを特定する処理が行なわれる。次に、ステップＳ１０５おいて、再生開始点を含むクリップ情報ファイルを読み込む。
【０１１２】
クリップ情報ファイルを読み込む場合も、先のプレイリストファイルの読み込みと同様、図１２に示すように、ＦＩＤ２７１を読み込んで、ＦＥ２７２のアクセス情報を取得して、取得した情報に従ってシーク処理を行い、ＦＥ２７２の読み取りを実行して、クリップ情報ファイルのアクセス情報を取得して、取得したアクセス情報に従ってシーク処理を実行して、図１２に示すステップＳ１０５のクリップ情報ファイルの読み込みを行なうことになる。
【０１１３】
クリップ情報ファイルの読み込み処理において、図９に示すフローのステップＳ１０６の処理、すなわち、クリップ情報ファイルに記録された情報読み取りが実行され、再生開始ポイントのピクチャに対応する再生指定時刻（ＰＴＳ：プレゼンテーション・タイムスタンプ）を超えずに最も近い再生時間（ＰＴＳ＿ＥＰ＿ｓｔａｒｔ）を持つＧＯＰ（ＥＰ）を特定する処理が行なわれる。次に、ステップＳ１０７において、特定したＧＯＰ（ＥＰ）から、所定のデータサイズ、すなわち、被参照ピクチャとしてのＩＤＲ（Ｉ）ピクチャのサイズに相当するデータサイズの読み取りを実行する。
【０１１４】
このステップＳ１０７のＩＤＲ読み込み処理も、図１２に示すように、ＦＩＤ２７１を読み込んで、ＦＥ２７２のアクセス情報を取得して、取得した情報に従ってシーク処理を行い、ＦＥ２７２の読み取りを実行して、ストリームファイルのアクセス情報を取得して、取得したアクセス情報に従ってシーク処理を実行して、図１２に示すステップＳ１０７のストリームファイルの読み込みを行なうことになる。
【０１１５】
なお、このステップＳ１０７におけるデータ読み取りは、クリップ情報ファィルの記録情報であるＩＥｎｄＰｏｓｉｔｉｏｎＯｆｆｓｅｔ２７６に従って実行され、実際のＩＤＲサイズより大きく余裕を持ってデータ読み取りが行なわれることになる。
【０１１６】
このように、１つのＩＤＲ読み取り処理を完了するためには、多数のファイルの読み取り、解析、シーク処理を実行することが必要となり、所要時間が長くなってしまう。特に、例えば多数の代表画像を一覧表示する場合には、図１２に示す処理を繰り返し実行することになり多大な時間を要し、ユーザを待たせることになる。
【０１１７】
本発明では、この問題を解決するため、代表画像の読み取りに必要な情報をＡＶＣＨＤフォーマットにおいて規定される属性情報ファイルに、代表画像アクセス情報として記録する構成として、代表画像に対するアクセス、再生を迅速に実行することを可能とした。以下、この処理構成について、詳細に説明する。
【０１１８】
［４．代表画像アクセス情報の記録および利用構成］
上述したように、現行のＡＶＣＨＤフォーマットにおいて記録された各ファイルから代表画像の読み取りに必要な情報を取得するためには、複数のファイルを一定のシーケンスに従って読み取りを行い、順次、必要情報を取得する処理を行なわなければならず効率的でなかった。本発明では、この問題を解決するため、代表画像の読み取りに必要な情報をＡＶＣＨＤフォーマットにおいて規定される１つの属性情報ファイルにまとめて「代表画像アクセス情報」として記録する構成とする。
【０１１９】
本構成により、例えば各チャプタの代表画像のサムネイルリストの一覧表示など、代表画像の再生処理を行なう際、この代表画像アクセス情報を参照して各代表画像を高速に読み取ることで効率的な処理を実現する。
【０１２０】
以下、代表画像アクセス情報の記録領域として、以下に示す２つの記録領域設定構成とした実施例について、それぞれ説明する。
（４−１）プレイリストファイルのプレイリストマーク単位のメーカーズインフォメーション（ＭａｋｅｒｓＩｎｆｏｒｍａｔｉｏｎ）領域に代表画像アクセス情報を記録する実施例
（４−２）インデックスファイルのメーカーズプライベートデータ（ＭａｋｅｒｓＰｒｉｖａｔｅＤａｔａ）領域に代表画像アクセス情報を記録する実施例
【０１２１】
（４−１）プレイリストファイルのプレイリストマーク単位のメーカーズインフォメーション（ＭａｋｅｒｓＩｎｆｏｒｍａｔｉｏｎ）領域に代表画像アクセス情報を記録する実施例
まず、代表画像アクセス情報をプレイリストファイルにプレイリストマーク単位に設定されるメーカーズインフォメーション（ＭａｋｅｒｓＩｎｆｏｒｍａｔｉｏｎ）領域に記録する実施例について説明する。
【０１２２】
先に、図２〜図６を参照して説明したように，ＡＶＣＨＤフォーマットででは、インデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）、クリップＡＶストリーム（ＣｌｉｐＡＶＳｔｒｅａｍ）の各ファイルが生成され記録される。
【０１２３】
プレイリストファイルは、ユーザに見せるタイトルに対応して設けられ、少なくとも１以上のプレイアイテムで構成される再生リストである。各プレイアイテムは、クリップに対する再生開始点（ＩＮ点）と再生終了点（ＯＵＴ点）を持つことで、その再生区間を指定している。
【０１２４】
ＡＶＣＨＤフォーマットにおいて規定されるプレイリストファイルには、チャプタ区切りを示すエントリマーク（ＥＭ）等のプレイリストマーク（ＰＬＭ）単位でメーカーズインフォメーション（ＭａｋｅｒｓＩｎｆｏｒｍａｔｉｏｎ）領域が設定される。メーカーズインフォメーション（ＭａｋｅｒｓＩｎｆｏｒｍａｔｉｏｎ）領域は、データ記録や編集を行なってプレイリストの作成や更新を行なった機器のメーカーが自由な情報を書き込むことを許容したデータ領域である。
【０１２５】
本処理例では、このプレイリストファイルのプレイリストマーク単位のメーカーズインフォメーション（ＭａｋｅｒｓＩｎｆｏｒｍａｔｉｏｎ）領域に、代表画像のアクセスに必要となる情報、すなわちＧＯＰにおける被参照ピクチャとして設定されるＩＤＲ（Ｉ）ピクチャの読み取りに利用する代表画像アクセス情報を記録する。
【０１２６】
図１３を参照して、プレイリストファイルにおける代表画像アクセス情報の書き込み領域について説明する。図１３に示すように、プレイリストファイル３１０には、拡張データ領域（ＥｘｔｅｎｔｉｏｎＤａｔａ）３１１が記録され、拡張データ領域（ＥｘｔｅｎｔｉｏｎＤａｔａ）３１１には、プレイリストマーク（ＰＬＭ）単位の拡張データ領域であるプレイリストマーク拡張データ（ＰＬＭ  Ｅｘｔｅｎｔｉｏｎ  Ｄａｔａ）領域が設定される。
【０１２７】
なお、プレイリストマーク（ＰＬＭ）は、チャプタを規定するマークとしてのエントリマーク（ＥＭ）およびチャプタに対応しない再生開始位置を示すリンクポイントを含む概念であり、１つのプレイリストファイルには、複数のプレイリストマーク（ＰＬＭ）情報が記録可能である。ただし１つのプレイリストに記録可能なプレイリストマーク数およびエントリマーク数には、それぞれフォーマト上の上限（例えば９９９）が設定されている。
【０１２８】
このように、１つのプレイリストには、複数のプレイリストマークが設定可能であり、これらの複数のプレイリストマークに対応するプレイリストマーク拡張データ（ＰＬＭ  Ｅｘｔｅｎｔｉｏｎ  Ｄａｔａ）３１２領域が設定される。
【０１２９】
個々のプレイリストマーク拡張データ３１２には、メーカーズインフォメーション（Ｍａｋｅｒｓ  Ｉｎｆｏｒｍａｔｉｏｎ）領域３１３が設定される。このメーカーズインフォメーション領域３１３は、データ記録や編集処理を行なう装置のメーカーが自由な情報を書き込むことを許容したメーカー対応のデータ記録領域として設定されている。
【０１３０】
このメーカーズインフォメーション領域３１３に上述の代表画像アクセス情報３１４、すなわち、ＧＯＰにおける被参照ピクチャとして設定されるＩＤＲ（Ｉ）ピクチャの読み取りに必要な代表画像アクセス情報を記録する。
【０１３１】
プレイリストファイルのプレイリストマーク単位のメーカーズインフォメーション（ＭａｋｅｒｓＩｎｆｏｒｍａｔｉｏｎ）領域に記録する代表画像アクセス情報の例を以下に示す。
【０１３２】
【表３】
2008047963.tif 000005
【０１３３】
上記表に示すように、代表画像アクセス情報には、
ＩＤＲ＿ＬＳＮ（ＩＤＲ論理セクタ番号）、
ＩＤＲ＿ＳＩＺＥ（ＩＤＲサイズ）
が含まれる。
【０１３４】
ＩＤＲ＿ＬＳＮ（ＩＤＲ論理セクタ番号）は、プレイリストマーク（ＰＬＭ）に対応するＧＯＰに含まれる被参照ピクチャとしてのＩＤＲ（Ｉ）ピクチャの論理セクタ番号、すなわちＩＤＲ（Ｉ）ピクチャの論理アドレスを記録する。
【０１３５】
この情報は、情報処理装置においてデータの記録や編集を実行してＩＤＲの書き込みが行なわれた場合、その書き込みアドレス情報に基づいて記録する。再生時においては、このアドレス情報の取得によって、即座にＩＤＲの書き込み開始位置へのシークが可能となる。なお、ＩＤＲ論理セクタ番号が不明である場合は、ＦＦＦＦＦＦＦＦｈを記録する。
【０１３６】
ＩＤＲ＿ＳＩＺＥ（ＩＤＲサイズ）は、プレイリストマークに対応するＧＯＰに含まれる被参照ピクチャとしてのＩＤＲ（Ｉ）ピクチャのデータサイズを格納する。このサイズ情報も、情報処理装置においてデータの記録や編集時に記録あるいは更新されたＩＤＲのデータサイズを取得し、この実際のＩＤＲサイズをＩＤＲ＿ＳＩＺＥ（ＩＤＲサイズ）情報として記録する。従って、各ＩＤＲに対応する正確なバイトサイズデータが書き込まれることになる。なお、データサイズが不明の場合は、００００００００ｈを記録する。
【０１３７】
なお、情報処理装置において、プレイリストファイルのプレイリストマーク単位のメーカーズインフォメーション（ＭａｋｅｒｓＩｎｆｏｒｍａｔｉｏｎ）領域に代表画像アクセス情報を記録するタイミングは、具体的には、例えば新たなデータ記録やデータ編集を行いＩＤＲ（Ｉ）ピクチャの新たな記録や更新が行なわれるタイミングである。データ記録あるいはデータ編集を行なう情報処理装置は、情報記録媒体に対するデータ記録処理制御を行う記録再生制御部１１０（図１参照）の制御の下、データ記録や編集に応じてＡＶＣＨＤフォーマットに従ったデータベースファイルの更新処理を行うとともに、上記のＩＤＲ＿ＬＳＮ（ＩＤＲ論理セクタ番号）、ＩＤＲ＿ＳＩＺＥ（ＩＤＲサイズ）を含む代表画像アクセス情報をプレイリストファイルのプレイリストマーク単位のメーカーズインフォメーション（ＭａｋｅｒｓＩｎｆｏｒｍａｔｉｏｎ）領域に記録する処理を実行する。
【０１３８】
例えば図１に示す情報処理装置１００の記録再生制御部１１０は、予め規定された階層型の管理構成を持つデータ記録フォーマットであるＡＶＣＨＤフォーマットに従って、ピクチャグループによって構成されるＧＯＰ（Ｇｒｏｕｐ  Ｏｆ  Ｐｉｃｔｕｒｅ）を設定したエンコードデータの記録および記録データに対応する管理情報の記録制御を行ない、さらに、記録データに設定されたデータ区間の代表画像の読み取りに適用する代表画像アクセス情報を、記録フォーマットに従った属性情報ファイル、すなわち、プレイリストファイルのプレイリストマーク単位のメーカーズインフォメーション（ＭａｋｅｒｓＩｎｆｏｒｍａｔｉｏｎ）領域に記録する制御を行なう。
【０１３９】
すなわち、記録再生制御部１１０は、再生区間情報としてのプレイリストマークによって設定されるチャプタ単位の代表画像として設定される被参照ピクチャ（ＩＤＲ（Ｉ）ピクチャ）の読み取りに適用する情報を代表画像アクセス情報として、ＩＤＲピクチャの読み取りに適用するアドレス情報、ＩＤＲピクチャのデータサイズ、すなわち、
ＩＤＲ＿ＬＳＮ（ＩＤＲ論理セクタ番号）、
ＩＤＲ＿ＳＩＺＥ（ＩＤＲサイズ）
これらの情報をプレイリストファイルのプレイリストマーク単位のメーカーズインフォメーション（ＭａｋｅｒｓＩｎｆｏｒｍａｔｉｏｎ）領域に記録する制御を実行する。
【０１４０】
次に、この代表画像アクセス情報を適用した場合の再生処理シーケンスについて、図１４に示すフローチャートを参照して説明する。図１４に示す処理フローは、先に、図９のフローを参照して説明したと同様、ＡＶＣＨＤフォーマットに従って記録されたデータを格納した情報記録媒体からのデータ読み取り再生例であり、例えばプレイリストマーク（ＰＬＭ（＝ＥＭ））によって区分される各チャプタから代表画像を選択してサムネイル画像として表示する場合の処理シーケンスである。なお、図１４に示すフロー中、二重線で示すステップは、ファイルの読み取り処理に相当する。
【０１４１】
図１４に示すフローは、例えば図１に示す情報処理装置１００の記録再生制御部１１０の制御の下に実行される処理である。まず、ステップＳ２０１において、再生対象の代表画像が含まれるチャプタに関する情報を記録したプレイリストを特定する。例えば、すべてのチャプタに対応するサムネイルリストを表示する場合は、先頭のプレイリストから順に処理を行なうことになる。
【０１４２】
プレイリストは、前述したように、ユーザに見せるタイトルに対応して設けられ、少なくとも１以上のプレイアイテムで構成される再生リストである。各プレイアイテムは、クリップに対する再生開始点（ＩＮ点）と再生終了点（ＯＵＴ点）を持つことで、その再生区間を指定している。
【０１４３】
ステップＳ２０２では、特定したプレイリストファイルを読み込む。本実施例では、プレイリストファイルに設定されるプレイリストマーク（ＰＬＭ）単位のメーカーズインフォメーション（ＭａｋｅｒｓＩｎｆｏｒｍａｔｉｏｎ）領域に、上述した代表画像アクセス情報、すなわち、
ＩＤＲ＿ＬＳＮ（ＩＤＲ論理セクタ番号）、
ＩＤＲ＿ＳＩＺＥ（ＩＤＲサイズ）
これらの情報が記録されている。
【０１４４】
ステップＳ２０３では、プレイリストファイルから、再生を行なう代表画像を含むプレイリストマーク（ＰＬＭ）を特定し、ステップＳ２０４において、特定したプレイリストマーク（ＰＬＭ）に対応するメーカーズインフォメーションを読み取り、上述した代表画像アクセス情報を読み取る。すなわち、
ＩＤＲ＿ＬＳＮ（ＩＤＲ論理セクタ番号）、
ＩＤＲ＿ＳＩＺＥ（ＩＤＲサイズ）
これらの情報の読み取りを実行する。
【０１４５】
次に、ステップＳ２０５において、代表画像アクセス情報に従って取得したアドレス情報であるＩＤＲ＿ＬＳＮ（ＩＤＲ論理セクタ番号）を適用して、特定したＧＯＰ（ＥＰ）にアクセスし、ＩＤＲ＿ＳＩＺＥ（ＩＤＲサイズ）に従ったサイズのデータ読み取りを実行する。この処理により、ＩＤＲを含むストリームデータの読み取りが実行される。
【０１４６】
次に、ステップＳ２０６において、読み込んだストリームをデコードして代表画像の復号データを取得して表示を行なう。例えばサムネイル（縮小画像）を表示する場合は、サムネイル画像の作成処理を実行して表示する。
【０１４７】
このように、本実施例の処理では、プレイリストファイルからＩＤＲ読み取りに必要な情報としてのアドレス情報（ＩＤＲ＿ＬＳＮ（ＩＤＲ論理セクタ番号））、およびデータサイズ情報（ＩＤＲ＿ＳＩＺＥ（ＩＤＲサイズ））が取得可能であり、これらの情報を適用して、即座にＡＶストリームファイルをアクセスしてＩＤＲを読み取ることが可能となる。
【０１４８】
次に、図１５を参照して、図１４のフローに従った処理を記録データの読み取り処理およびシーク処理を区別した具体的な処理シーケンスとして説明する。
【０１４９】
図１５には、先に図１２を参照して説明したと同様、情報記録媒体に記録された記録情報２７０を模式的に示している。記録情報には、先に説明したＡＶＣＨＤフォーマットに従った各ファイル（インデックス〜ストリームファィル）が記録されている。図には、プレイリストファイル２７３、クリップ情報ファイル２７４、ストリームファイル２７５を示している。ストリームファイル２７５は、先に図１０を参照して説明したＧＯＰ単位のデータを格納している。図１５には、読み取り対象のＧＯＰ内の１つのＩＤＲ（被参照ピクチャ）２７７を示している。
【０１５０】
図に示すＩＥｎｄＰｏｓｉｔｉｏｎＯｆｆｓｅｔ２７６は、クリップ情報ファイルから取得可能なＩＤＲ読み取りサイズである。実際のＩＤＲサイズより大きく設定されている。記録情報２７０には、さらに、ＡＶＣＨＤフォーマットにおいて記録されたファイルのレイアウト情報としてのＦＥ２７２と、さらに、ファイルの基本情報であるＦＩＤ２７１が記録されている。
【０１５１】
さらに、図１５では、上述した代表画像アクセス情報、すなわち、プレイリストファイルに設定されるプレイリストマーク（ＰＬＭ）単位のメーカーズインフォメーション（ＭａｋｅｒｓＩｎｆｏｒｍａｔｉｏｎ）領域に記録された代表画像アクセス情報に含まれる
ＩＤＲ＿ＳＩＺＥ（ＩＤＲサイズ）３２１
を示している。
このＩＤＲ＿ＳＩＺＥ（ＩＤＲサイズ）３２１は、前述したように、実際に情報記録媒体に記録されている個々のＩＤＲのサイズに対応するデータであり、クリップ情報ファイルから取得可能なＩＤＲ読み取りサイズであるＩＥｎｄＰｏｓｉｔｉｏｎＯｆｆｓｅｔ２７６より小さく設定されている。
【０１５２】
先に図１２を参照して説明したように、記録情報２７０中のファイルにアクセスする場合、ＦＩＤ２７１をまず読み取り、ＦＩＤ２７１に従ってＦＥ２７２を取得して、ＦＥ２７２から各ファイルの読み取り先を取得して、ファイルアクセスを実行することになる。
【０１５３】
図１４のフローに従って実行する処理に対応するファイル読み取りとシーク処理とのシーケンスは、図１５に示す時間ｔｐ〜ｔｑに実線および点線デ示す処理になる。時間ｔｐ〜ｔｑの処理において実線で示す処理はファイルの読み込み処理であり、点線で示す処理はシーク処理である。
【０１５４】
図１４のフローを参照して説明した処理に沿って、図１５に示すファイルの読み込み処理とシーク処理について説明する。まず、図１４に示すフローのステップＳ２０１の処理は、再生対象の代表画像が含まれるチャプタに関する情報を記録したプレイリストを特定する処理であり、ステップＳ２０２〜Ｓ２０４の処理が、特定したプレイリストファイルを読み込み、プレイリストファイルから、再生を行なう代表画像を含むプレイリストマーク（ＰＬＭ）を特定し、特定したプレイリストマーク（ＰＬＭ）に対応するメーカーズインフォメーションを読み取り、上述した代表画像アクセス情報を読み取る。すなわち、
ＩＤＲ＿ＬＳＮ（ＩＤＲ論理セクタ番号）、
ＩＤＲ＿ＳＩＺＥ（ＩＤＲサイズ）
これらの情報の読み取りを実行する処理である。
【０１５５】
ステップＳ２０２〜Ｓ２０４の処理は、図１５の実線部として示してある。このステップＳ２０２〜Ｓ２０４のプレイリストファイルの読み込みにおいて、代表画像アクセス情報、すなわち、ＩＤＲ＿ＬＳＮ（ＩＤＲ論理セクタ番号）、ＩＤＲ＿ＳＩＺＥ（ＩＤＲサイズ）が取得される。
【０１５６】
従って、情報処理装置は、この代表画像アクセス情報に従って取得したアドレス情報であるＩＤＲ＿ＬＳＮ（ＩＤＲ論理セクタ番号）を適用して、特定したＧＯＰ（ＥＰ）の書き込み領域にシークを行い、ＩＤＲ＿ＳＩＺＥ（ＩＤＲサイズ）に従ったサイズのデータ読み取りを実行することができる。このＩＤＲ読み取り処理が、図１５に示すステップＳ２０５の実線部の処理である。
【０１５７】
なお、このステップＳ２０５のデータ読み取りは、ＩＤＲ＿ＳＩＺＥ（ＩＤＲサイズ）に従ったサイズのデータ読み取りとして実行される。先に、図１２を参照して説明したＩＤＲの読み取り処理は、クリップ情報ファィルの記録情報であるＩＥｎｄＰｏｓｉｔｉｏｎＯｆｆｓｅｔ２７６に従って実行され、実際のＩＤＲサイズより大きく余裕を持ってデータ読み取りが行なわれていたが、本処理例では、プレイリストファイルに記録される代表画像アクセス情報に含まれるＩＤＲ＿ＳＩＺＥ（ＩＤＲサイズ）は、実際のＩＤＲのデータサイズに相当するデータサイズであり、無駄なデータ領域の読み込みを行なうことなく確実にＩＤＲ情報の読み取りが可能となり、読み取り時間も短縮される。
【０１５８】
先に説明した図１２の処理例では、ＩＤＲ読み取り処理を行なう場合、プレイリストファイルの読み取り、クリップ情報ファイルの読み取り、ストリームファイルの読み取りを実行し、各ファイルの読み取りに移行する場合にＦＩＤ，ＦＥの各情報の読み取りを実行するというシーケンスであり、非効率的な処理となっていたが、図１５に示す本発明に従ったＩＤＲ読み取り処理においては、
ＦＩＤ→ＦＥ→プレイリストファイル→ストリームファイル
この処理シーケンスを実行するのみで、目的とするＩＤＲ（Ｉ）ピクチャの読み取りが可能となり、代表画像としてのＩＤＲ（Ｉ）ピクチャの読み取り処理を効率的に短時間で実行することができる。またストリームファイルの読み取り処理も実際のＩＤＲサイズに応じたデータサイズの読み取りによって行なわれ余分なデータの読み取りがなされないので、さらなる処理時間の短縮が実現されることになる。
【０１５９】
（４−２）インデックスファイルのメーカーズプライベートデータ（ＭａｋｅｒｓＰｒｉｖａｔｅＤａｔａ）領域に代表画像アクセス情報を記録する実施例
次に、代表画像アクセス情報をインデックスファイルのメーカーズプライベートデータ（ＭａｋｅｒｓＰｒｉｖａｔｅＤａｔａ）領域に記録する実施例について説明する。
【０１６０】
先に、図２〜図６を参照して説明したように，ＡＶＣＨＤフォーマットででは、インデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）、クリップＡＶストリーム（ＣｌｉｐＡＶＳｔｒｅａｍ）の各ファイルが生成され記録される。
【０１６１】
インデックスファイルは、ムービーオブジェクトとの対応関係を管理している。ＡＶＣＨＤフォーマットでは、本来ムービーオブジェクトファイルで管理すべきプレイリストの再生順をインデックスファイルのメタデータ内で管理している。情報記録媒体をプレーヤに装填した際にはまずインデックスが読み込まれ、ユーザはインデックスに記述されたタイトルを見ることができる。
【０１６２】
本実施例の構成では、上述した代表画像アクセス情報、すなわち、ＧＯＰにおける被参照ピクチャとして設定されるＩＤＲ（Ｉ）ピクチャの読み取りに必要な代表画像アクセス情報をインデックスファイルのメーカーズプライベートデータ領域に記録する。
【０１６３】
インデックスファイルの記録データは、データ記録メディアが装着された装置においてメディア起動時に装置による読み込み処理が実行され、装置のメモリ（ＲＡＭ）に格納される。従って、データの再生を行なう場合には、メモリからインデックスファイルの記録データを取得することが可能であり、迅速な処理を行なうことが可能となる。
【０１６４】
図１６を参照して、インデックスファイルにおける代表画像アクセス情報の書き込み領域について説明する。図１６に示すように、インデックスファイル３５０には、拡張データブロック（ＥｘｔｅｎｔｉｏｎＤａｔａ）３５１が記録され、拡張データブロック（ＥｘｔｅｎｔｉｏｎＤａｔａ）３５１には、データブロック３５２が設定され、このデータブロック３５２に、メーカーズプライベートデータ（ＭａｋｅｒｓＰｒｉｖａｔｅＤａｔａ）領域３５３が設定される。このメーカーズプライベートデータ領域３５３は、データ記録や編集処理を行なう装置のメーカーが自由な情報を書き込むことを許容したメーカー対応のデータ記録領域として設定されている。
【０１６５】
このメーカーズプライベートデータ領域３５３に上述の代表画像アクセス情報３５４、すなわち、ＧＯＰにおける被参照ピクチャとして設定されるＩＤＲ（Ｉ）ピクチャの読み取りに必要な代表画像アクセス情報を記録する。
【０１６６】
インデックスファイルのメーカーズプライベートデータ（ＭａｋｅｒｓＰｒｉｖａｔｅＤａｔａ）領域に記録する代表画像アクセス情報の例を以下に示す。
【０１６７】
【表４】
2008047963.tif 000006
【０１６８】
上記表に示すように、インデックスファイルに記録される代表画像アクセス情報にも、先に説明したプレイリストファイルの記録情報と同様、
ＩＤＲ＿ＬＳＮ（ＩＤＲ論理セクタ番号）、
ＩＤＲ＿ＳＩＺＥ（ＩＤＲサイズ）
が含まれる。
ただし、インデックスファイルには、複数のチャプタに対応する個々のＩＤＲに対応する代表画像アクセス情報を記録するため、チャプタ数情報として、
ＮＵＭ＿ＯＦ＿ＣＨＪＡＰＴＥＲ（チャプタ数）
が記録され、
ＩＤＲ＿ＬＳＮ（ＩＤＲ論理セクタ番号）、
ＩＤＲ＿ＳＩＺＥ（ＩＤＲサイズ）
は、チャプタ数（Ｎ）に対応するＮ個のデータセットが記録されることになる。
【０１６９】
なお、ＩＤＲ＿ＬＳＮ（ＩＤＲ論理セクタ番号）は、プレイリストマーク（ＰＬＭ）に対応するＧＯＰに含まれる被参照ピクチャとしてのＩＤＲ（Ｉ）ピクチャの論理セクタ番号、すなわちＩＤＲ（Ｉ）ピクチャの論理アドレスであり、
ＩＤＲ＿ＳＩＺＥ（ＩＤＲサイズ）は、プレイリストマークに対応するＧＯＰに含まれる被参照ピクチャとしてのＩＤＲ（Ｉ）ピクチャのデータサイズである。
【０１７０】
これらの情報は、情報処理装置においてデータの記録や編集を実行してＩＤＲの書き込みが行なわれた場合、その書き込みアドレス情報およびデータサイズに基づいて記録する。再生時においては、このアドレス情報およびデータサイズを取得して、即座にＩＤＲの書き込み開始位置へのシークを行い、ＩＤＲサイズに相当するデータサイズの読み取りが可能となり、迅速な処理が可能となる。
【０１７１】
なお、情報処理装置において、インデックスファイルのメーカーズプライベートデータ（ＭａｋｅｒｓＰｒｉｖａｔｅＤａｔａ）領域に、上記の代表画像アクセス情報を記録するタイミングは、具体的には、例えば新たなデータ記録やデータ編集を行いＩＤＲ（Ｉ）ピクチャの新たな記録や更新が行なわれるタイミングである。データ記録あるいはデータ編集を行なう情報処理装置は、情報記録媒体に対するデータ記録処理制御を行う記録再生制御部１１０（図１参照）の制御の下、データ記録や編集に応じてＡＶＣＨＤフォーマットに従ったデータベースファイルの更新処理を行うとともに、上記のＩＤＲ＿ＬＳＮ（ＩＤＲ論理セクタ番号）、ＩＤＲ＿ＳＩＺＥ（ＩＤＲサイズ）を含む代表画像アクセス情報をインデックスファイルのメーカーズプライベートデータ（ＭａｋｅｒｓＰｒｉｖａｔｅＤａｔａ）領域に記録する。なお、記録数に変更があった場合は、ＮＵＭ＿ＯＦ＿ＣＨＪＡＰＴＥＲ（チャプタ数）についても更新する。
【０１７２】
例えば図１に示す情報処理装置１００の記録再生制御部１１０は、予め規定された階層型の管理構成を持つデータ記録フォーマットであるＡＶＣＨＤフォーマットに従って、ピクチャグループによって構成されるＧＯＰ（Ｇｒｏｕｐ  Ｏｆ  Ｐｉｃｔｕｒｅ）を設定したエンコードデータの記録および記録データに対応する管理情報の記録制御を行ない、さらに、記録データに設定されたデータ区間の代表画像の読み取りに適用する代表画像アクセス情報を、記録フォーマットに従った属性情報ファイル、すなわち、インデックスファイルのメーカーズプライベートデータ（ＭａｋｅｒｓＰｒｉｖａｔｅＤａｔａ）領域に記録する制御を行なう。
【０１７３】
すなわち、記録再生制御部１１０は、再生区間情報としてのプレイリストマークによって設定されるチャプタ単位の代表画像として設定される被参照ピクチャ（ＩＤＲ（Ｉ）ピクチャ）の読み取りに適用する情報を代表画像アクセス情報として、ＩＤＲピクチャの読み取りに適用するアドレス情報、ＩＤＲピクチャのデータサイズ、すなわち、
ＩＤＲ＿ＬＳＮ（ＩＤＲ論理セクタ番号）、
ＩＤＲ＿ＳＩＺＥ（ＩＤＲサイズ）
これらの情報をインデックスファイルのメーカーズプライベートデータ（ＭａｋｅｒｓＰｒｉｖａｔｅＤａｔａ）領域に記録する制御を実行する。
【０１７４】
次に、この代表画像アクセス情報を適用した場合の再生処理シーケンスについて、図１７に示すフローチャートを参照して説明する。図１７に示す処理フローは、先に、図９、図１４のフローを参照して説明したと同様、ＡＶＣＨＤフォーマットに従って記録されたデータを格納した情報記録媒体からのデータ読み取り再生例であり、例えばプレイリストマーク（ＰＬＭ（＝ＥＭ））によって区分される各チャプタから代表画像を選択してサムネイル画像として表示する場合の処理シーケンスである。なお、図１７に示すフロー中、二重線で示すステップは、ファイルの読み取り処理に相当する。
【０１７５】
図１７に示すフローは、例えば図１に示す情報処理装置１００の記録再生制御部１１０の制御の下に実行される処理である。まず、ステップＳ３０１において、インデックスファイルからメーカーズプライベートデータを読み取り、チャプタ対応の代表画像アクセス情報を読み取る。すなわち、
ＩＤＲ＿ＬＳＮ（ＩＤＲ論理セクタ番号）、
ＩＤＲ＿ＳＩＺＥ（ＩＤＲサイズ）
これらの情報の読み取りを実行する。
【０１７６】
なお、前述したように、インデックスファイルの記録データは、データ記録メディアが装着された装置においてメディア起動時に装置による読み込み処理が実行され、装置のメモリ（ＲＡＭ）に格納される。従って、メモリからインデックスファイルの記録データを取得することが可能であり、上記の代表画像アクセス情報の取得もメモリから取得することが可能となる。
【０１７７】
次に、ステップＳ３０２において、代表画像アクセス情報に従って取得したアドレス情報であるＩＤＲ＿ＬＳＮ（ＩＤＲ論理セクタ番号）を適用して、特定したＧＯＰ（ＥＰ）にアクセスし、ＩＤＲ＿ＳＩＺＥ（ＩＤＲサイズ）に従ったサイズのデータ読み取りを実行する。この処理により、ＩＤＲを含むストリームデータの読み取りが実行される。
【０１７８】
次に、ステップＳ３０３において、読み込んだストリームをデコードして代表画像の復号データを取得して表示を行なう。例えばサムネイル（縮小画像）を表示する場合は、サムネイル画像の作成処理を実行して表示する。
【０１７９】
このように、本実施例の処理では、インデックスファイルからＩＤＲ読み取りに必要な情報としてのアドレス情報（ＩＤＲ＿ＬＳＮ（ＩＤＲ論理セクタ番号））、およびデータサイズ情報（ＩＤＲ＿ＳＩＺＥ（ＩＤＲサイズ））が取得可能であり、これらの情報を適用して、即座にＡＶストリームファイルをアクセスしてＩＤＲを読み取ることが可能となる。
【０１８０】
先に説明した図１２の処理例では、ＩＤＲ読み取り処理を行なう場合、プレイリストファイルの読み取り、クリップ情報ファイルの読み取り、ストリームファイルの読み取りを実行し、各ファイルの読み取りに移行する場合にＦＩＤ，ＦＥの各情報の読み取りを実行するというシーケンスであり、非効率的な処理となっていたが、本処理例では、
メモリからインデックスファイル記録情報取得→ストリームファイル
この処理シーケンスを実行するのみで、目的とするＩＤＲ（Ｉ）ピクチャの読み取りが可能となり、代表画像としてのＩＤＲ（Ｉ）ピクチャの読み取り処理を効率的に短時間で実行することができる。またストリームファイルの読み取り処理も実際のＩＤＲサイズに応じたデータサイズの読み取りによって行なわれ余分なデータの読み取りがなされないので、さらなる処理時間の短縮が実現されることになる。
【０１８１】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【０１８２】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０１８３】
例えば、プログラムは記録媒体としてのハードディスクやＲＯＭ（Ｒｅａｄ  Ｏｎｌｙ  Ｍｅｍｏｒｙ）に予め記録しておくことができる。あるいは、プログラムはフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  ｏｐｔｉｃａｌ）ディスク，ＤＶＤ（Ｄｉｇｉｔａｌ  Ｖｅｒｓａｔｉｌｅ  Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０１８４】
なお、プログラムは、上述したようなリムーバブル記録媒体からコンピュータにインストールする他、ダウンロードサイトから、コンピュータに無線転送したり、ＬＡＮ（Ｌｏｃａｌ  Ａｒｅａ  Ｎｅｔｗｏｒｋ）、インターネットといったネットワークを介して、コンピュータに有線で転送し、コンピュータでは、そのようにして転送されてくるプログラムを受信し、内蔵するハードディスク等の記録媒体にインストールすることができる。
【０１８５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１８６】
以上、説明したように、本発明の一実施例構成によれば、例えばチャプタに対応して設定された代表画像としての被参照画像（ＩＤＲ）のアクセス情報として、代表画像の読み取りに適用するアドレス情報と読み取りデータサイズ情報を含む代表画像アクセス情報をプレイリストファイルまたはインデックスファイルに記録する構成としたので、再生処理において、サムネイルリスト表示など、代表画像の読み取り再生を行なう場合、代表画像アクセス情報を参照した処理が可能となり、ＩＤＲ読み取り再生を効率的に迅速に行なうことが可能となる。
【図面の簡単な説明】
【０１８７】
【図１】本発明の情報処理装置の構成例を示すブロック図である。
【図２】情報記録媒体における記録データのデータ構造を説明する図である。
【図３】プレイリスト（ＰｌａｙＬｉｓｔ）、プレイアイテム（ＰｌａｙＩｔｅｍ）、クリップ（Ｃｌｉｐ）、クリップ情報（ＣｌｉｐＩｎｆｏｒｍａｔｉｏｎ）、クリップＡＶストリーム（ＣｌｉｐＡＶＳｔｒｅａｍ）の関係を示すＵＭＬ（Ｕｎｉｆｉｅｄ  Ｍｏｄｅｌｉｎｇ  Ｌａｎｇｕａｇｅ）図である。
【図４】プレイリストによるクリップの参照関係について説明する図である。
【図５】プレイリストに設定されるメインパスとサプパス対応のプレイリストとクリップの関係について説明する図である。
【図６】情報記録媒体に記録されるファイルの管理構造について説明する図である。
【図７】ビデオカメラによる録画・撮影に従ってＡＶストリームのクリップとともにプレイリストが生成される手順について説明する図である。
【図８】ビデオカメラによる録画・撮影に従ってＡＶストリームのクリップとともにプレイリストが生成される手順について説明する図である。
【図９】ＡＶＣＨＤフォーマットで記録されたデータの代表画像再生処理シーケンスについて説明するフローチャートを示す図である。
【図１０】情報記録媒体に記録されたストリームデータの構成例を示す図である。
【図１１】クリップ情報ファイルのシンタクスを示す図である。
【図１２】ＡＶＣＨＤフォーマットで記録されたデータの代表画像再生処理シーケンスについて説明する図である。
【図１３】プレイリストファイルにおける代表画像アクセス情報の書き込み領域について説明する図である。
【図１４】プレイリストファイルに記録した代表画像アクセス情報を適用した代表画像再生処理シーケンスについて説明するフローチャートを示す図である。
【図１５】プレイリストファイルに記録した代表画像アクセス情報を適用した代表画像再生処理について説明するフローチャートを示す図である。
【図１６】インデックスファイルにおける代表画像アクセス情報の書き込み領域について説明する図である。
【図１７】インデックスファイルに記録した代表画像アクセス情報を適用した代表画像再生処理シーケンスについて説明するフローチャートを示す図である。
【符号の説明】
【０１８８】
１００  情報処理装置
１１０  記録再生制御部
１１１  主制御部（プロセッサ）
１１２  ＲＯＭ
１１３  ＲＡＭ
１１４  入出力インタフェース
１１５  バス
１２０  媒体制御部
１３０  記録再生用ワークメモリ
１４０  符号復号化部
１５０  入出力信号制御部
１８０  情報記録媒体
２００，２０１  クリップ
２１０〜２１２  プレイリスト
２２０，２２３，２２４  プレイアイテム
２５１  ＣＰＩブロック［ｂｌｋＣＰＩ（）］
２７０  記録情報
２７１  ＦＩＤ
２７２  ＦＥ
２７３  プレイリストファイル
２７４  クリップ情報ファイル
２７５  ストリームファイル
２７６  ＩＥｎｄＰｏｓｉｔｉｏｎＯｆｆｓｅｔ
３１０  プレイリストファイル
３１１  拡張データ領域（ＥｘｔｅｎｔｉｏｎＤａｔａ）
３１２  プレイリストマーク拡張データ
３１３  メーカーズインフォメーション
３１４  代表画像アクセス情報
３２１  ＩＤＲ＿ＳＩＺＥ
３５０  インデックスファイル
３５１  拡張データブロック
３５２  データブロック
３５３  メーカーズプライベートデータ
３５４  代表画像アクセス情報
【図１】
2008047963.tif 000007
【図２】
2008047963.tif 000008
【図３】
2008047963.tif 000009
【図４】
2008047963.tif 000010
【図５】
2008047963.tif 000011
【図６】
2008047963.tif 000012
【図７】
2008047963.tif 000013
【図８】
2008047963.tif 000014
【図９】
2008047963.tif 000015
【図１０】
2008047963.tif 000016
【図１１】
2008047963.tif 000017
【図１３】
2008047963.tif 000018
【図１４】
2008047963.tif 000019
【図１６】
2008047963.tif 000020
【図１７】
2008047963.tif 000021
【図１２】
2008047963.tif 000022
【図１５】
2008047963.tif 000023